【手続補正書】
【提出日】平成17年9月2日(2005.9.2)
【手続補正１】
【補正対象書類名】明細書
【補正対象項目名】特許請求の範囲
【補正方法】変更
【補正の内容】
【特許請求の範囲】
【請求項１】  次式の化合物又は薬学上許容できるその塩：
【化１】
2001526266.tif 000001
［式中、
Ｒ１は（１）１〜３個の−ＯＨ、−ＯＲ３、−ＳＲ３、−Ｓ（Ｏ）Ｒ３、−Ｓ（Ｏ）２Ｒ３、−Ｃ（Ｏ）Ｒ３、−ＮＲ３Ｒ４、アリール、ヘテロアリール、シクロアルキル又はヘテロシクリル基で任意に置換されていてもよい、アルキル、アルケニル、アルキニル、シクロアルキル又はヘテロシクリル基であるか、（２）任意に置換されていてもよい５〜６員環の単環式へテロアリール又はヘテロシクリル基（これはフェニル基又は５〜６員環の単環式へテロアリール基で任意に置換されていてもよい）で任意に置換されていてもよい、アリール基であるか、もしくは（３）任意に置換されていてもよいフェニルもしくは５〜６員環の単環式へテロアリール又はヘテロシクリル基（これはフェニル基又は５〜６員環の単環式へテロアリール基で任意に置換されていてもよい）で任意に置換されていてもよい、ヘテロアリール基であって、（１）、（２）及び（３）のフェニル、アリール、ヘテロアリール、シクロアルキル及びヘテロシクリル基は１〜３個のヒドロキシ、−ＯＲ３、−ＳＲ３、−Ｓ（Ｏ）Ｒ３、−Ｓ（Ｏ）２Ｒ３、−Ｃ（Ｏ）Ｒ３、−ＮＲ３Ｒ４、アミノ、アルカノイルアミノ、アルキルスルホニルアミノ、アルコキシカルボニルアミノ、アルコキシカルボニル、シアノ、ハロ、アジド、アルキル又はハロアルキル基で任意に置換されていてもよい；ただし、Ｒ１中のフェニル、アリール、ヘテロアリール、シクロアルキル及びヘテロシクリル基の総数は０〜３とする；
ここで、各Ｒ３は独立してアルキル、ハロアルキル、アリール、ヘテロアリール、アリール−アルキル又はヘテロアリール−アルキル基であって、そのアリール及びヘテロアリール基は１〜３個のヒドロキシ、アルコキシ、アルキルチオール、アミノ、アルカノイルアミノ、アルキルスルホニルアミノ、アルキルスルフィニル、アルキルスルホニル、アルコキシカルボニルアミノ、アルコキシカルボニル、シアノ、ハロ、アジド、アルキル、ハロアルキル又はハロアルコキシ基で任意に置換されていてもよく；また、各Ｒ４は独立して水素又はアルキル基である；
Ｒ２は水素又はアルキル基である；
Ｖは−ＣＲ８Ｒ１１−又は−ＣＲ８Ｒ１１−ＣＨＲ１２−であり、ここで、Ｒ１１とＲ１２はそれぞれ独立して（１）水素、−ＯＲ２０、−ＳＲ２１、−Ｃ（Ｏ）Ｒ２２、−ＮＲ３３−Ｃ（Ｏ）−Ｒ３１、−ＮＲ３３−Ｃ（Ｏ）−ＯＲ３０、−ＮＲ３３−Ｃ（Ｏ）−Ｒ３２Ｒ３１、−ＮＲ３３−Ｓ（Ｏ）２−Ｒ３０、−ＮＲ３３−Ｓ（Ｏ）２−ＮＲ３２Ｒ３１、シクロアルキル、アリール又はヘテロアリール基であるか、（２）１〜３個の−ＯＲ２０、−ＳＲ２１、−Ｃ（Ｏ）Ｒ２２、−ＮＲ３３−Ｃ（Ｏ）−Ｒ３１、−ＮＲ３３−Ｃ（Ｏ）−ＯＲ３０、−ＮＲ３３−Ｃ（Ｏ）−ＮＲ３２Ｒ３１、−ＮＲ３３−Ｓ（Ｏ）２−Ｒ３０、−ＮＲ３３−Ｓ（Ｏ）２−ＮＲ３２Ｒ３１、アリール又はヘテロアリール基で任意に置換されていてもよい、アルキル、アルケニル又はアルキニル基であって、（１）と（２）のシクロアルキル、アリール及びヘテロアリール基は１〜３個のヒドロキシ、アルコキシ、アルキルチオール、アミノ、アルカノイルアミノ、アルキルスルホニルアミノ、アルコキシカルボニルアミノ、アルコキシカルボニル、シアノ、ハロ、アジド、アルキル、ハロアルキル又はハロアルコキシ基で任意に置換されていてもよく；
ここで、各Ｒ２０は独立して水素、アルキル、アルケニル、アリール、ヘテロアリール、アリール−アルキル、ヘテロアリール−アルキル、アルカノイル、アロイル又はヘテロアロイル基であって、そのアルキル及びアルケニル基は−Ｃ（Ｏ）Ｒ２２で任意に置換されていてもよく、またそのアリール及びヘテロアリール基は１〜３個のヒドロキシ、アルコキシ、アルキルチオール、アミノ、アルカノイルアミノ、アルキルスルホニルアミノ、アルキルスルフィニル、アルキルスルホニル、アルコキシカルボニルアミノ、アルコキシカルボニル、シアノ、ハロ、アジド、アルキル、ハロアルキル又はハロアルコキシ基で任意に置換されていてもよく；
各Ｒ２１は独立してアルキル、アルキル−Ｃ（Ｏ）Ｒ２２、アリール、ヘテロアリール、アリール−アルキル又はヘテロアリール−アルキル基であって、そのアリール及びヘテロアリール基は１〜３個のヒドロキシ、アルコキシ、アルキルチオール、アミノ、アルカノイルアミノ、アルキルスルホニルアミノ、アルキルスルフィニル、アルキルスルホニル、アルコキシカルボニルアミノ、アルコキシカルボニル、シアノ、ハロ、アジド、アルキル、ハロアルキル又はハロアルコキシ基で任意に置換されていてもよく；
ここで、各Ｒ２２は独立してヒドロキシ、アルコキシ、アリールオキシ、アリール−アルコキシ、ヘテロアリールオキシ、ヘテロアリール−アルコキシ又は−ＮＲ２３Ｒ２４基であって、ここに各Ｒ２３は独立して水素、アルキル、アリール、アリール−アルキル、ヘテロアリール又はヘテロアリール−アルキル基であり、かつ各Ｒ２４が独立して水素又はアルキル基であるか、もしくは−ＮＲ２３Ｒ２４がヘテロシクリル又はヘテロアリール基を表し、Ｒ２２、Ｒ２３及び−ＮＲ２３Ｒ２４のヘテロシクリル、アリール及びヘテロアリール基は１〜３個のヒドロキシ、アルコキシ、アルキルチオール、アミノ、アルカノイルアミノ、アルキルスルホニルアミノ、アルキルスルフィニル、アルキルスルホニル、アルコキシカルボニルアミノ、アルコキシカルボニル、シアノ、ハロ、アジド、アルキル、ハロアルキル又はハロアルコキシ基で任意に置換されていてもよい；
また、Ｒ５、Ｒ６、Ｒ７及びＲ８はそれぞれ独立して水素又はアルキル基であるか、ＣＲ５−ＣＲ６、ＣＲ６−ＣＲ７又はＣＲ７−ＣＲ８の１つがＣ＝Ｃである；
Ｒ９とＲ１０はそれぞれ独立して−Ｂ−Ａである；ただし、Ｒ９、Ｒ１０、Ｒ１１及びＲ１２中のアリール、ヘテロアリール、シクロアルキル及びヘテロシクリル基の合計総数は０〜３とする；
ここで、各Ｂは独立して、
（１）結合であるか、
（２）（ａ）１〜３個のアミノ、アルキルアミノ、ジアルキルアミノ、アルカノイルアミノ、アルコキシカルボニルアミノ、アルキルスルホニルアミノ、ヒドロキシ、アルコキシ、アルキルチオ、シアノ又はハロ基、及び／又は（ｂ）１〜３個のアミノ、アルキルアミノ、ジアルキルアミノ、アルカノイルアミノ、アルコキシカルボニルアミノ、アルキルスルホニルアミノ、ヒドロキシ、アルコキシ、アルキルチオ、シアノ、ハロ、アルキル、ハロアルキル又はハロアルコキシ基で任意に置換されていてもよい、１〜２個のヘテロシクリル、アリール又はヘテロアリール基、で任意に置換されていてもよい、アルキル、アルケニル又はアルキニル基であるか、
（３）１〜３個のアミノ、アルキルアミノ、ジアルキルアミノ、アルカノイルアミノ、アルコキシカルボニルアミノ、アルキルスルホニルアミノ、ヒドロキシ、アルコキシ、アルキルチオ、シアノ、アルキル、ハロアルキル又はハロアルコキシ基で任意に置換されていてもよい、ヘテロシクリル基であるか、
（４）１〜３個のアミノ、アルキルアミノ、ジアルキルアミノ、アルカノイルアミノ、アルコキシカルボニルアミノ、アルキルスルホニルアミノ、ヒドロキシ、アルコキシ、アルキルチオ、シアノ、ハロ、アルキル、ハロアルキル又はハロアルコキシ基で任意に置換されていてもよい、アリール又はヘテロアリール基であり；
各Ａは独立して、
（１）水素基であるか、
（２）ハロ、シアノ又はニトロ基であるか、
（３）−Ｃ（Ｏ）−Ｒ３０、−Ｃ（Ｏ）−ＯＲ３１、−Ｃ（Ｏ）−ＮＲ３２Ｒ３１又は−Ｃ（ＮＲ３２）−ＮＲ３２Ｒ３１基であるか、
（４）−ＯＲ３１、−Ｏ−Ｃ（Ｏ）−Ｒ３１、−Ｏ−Ｃ（Ｏ）−ＮＲ３２Ｒ３１又は−Ｏ−Ｃ（Ｏ）−ＮＲ３３−Ｓ（Ｏ）２−Ｒ３０基であるか、
（５）−ＳＲ３１、−Ｓ（Ｏ）−Ｒ３０、−Ｓ（Ｏ）２−Ｒ３０、−Ｓ（Ｏ）２−ＮＲ３２Ｒ３１、−Ｓ（Ｏ）２−ＮＲ３３−Ｃ（Ｏ）−Ｒ３１、−Ｓ（Ｏ）２−ＮＲ３３−Ｃ（Ｏ）−ＯＲ３０又は−Ｓ（Ｏ）２−ＮＲ３３−Ｃ（Ｏ）−ＮＲ３２Ｒ３１基であるか、
（６）−ＮＲ３２Ｒ３１、−ＮＲ３３−Ｃ（Ｏ）−Ｒ３１、−ＮＲ３３−Ｃ（Ｏ）−ＯＲ３０、−ＮＲ３３−Ｃ（Ｏ）−ＮＲ３２Ｒ３１、−ＮＲ３３−Ｃ（ＮＲ３２）−ＮＲ３２Ｒ３１、−ＮＲ３３−Ｓ（Ｏ）２−Ｒ３０又は−ＮＲ３３−Ｓ（Ｏ）２−ＮＲ３２Ｒ３１基である；
ここで、各Ｒ３０は独立して、
（１）１〜３個の−ＣＯ２Ｒ３４、アミノ、アルキルアミノ、ジアルキルアミノ、アルカノイルアミノ、アルコキシカルボニルアミノ、Ｎ−（アルコキシカルボニル）−Ｎ−（アルキル）アミノ、アミノカルボニルアミノ、アルキルスルホニルアミノ、ヒドロキシ、アルコキシ、アルキルチオ、アルキルスルフィニル、アルキルスルホニル、シアノ、ハロ又はアラルコキシ、アリール−アルキルチオ、アリール−アルキルスルホニル、シクロアルキル、ヘテロシクリル、アリール又はヘテロアリール基（ここで、そのシクロアルキル、ヘテロシクリル、アリール及びヘテロアリール基は１〜３個のアミノ、アルキルアミノ、ジアルキルアミノ、アルカノイルアミノ、アルコキシカルボニルアミノ、アルキルスルホニルアミノ、アルカノイル、アルコキシカルボニル、ヒドロキシ、アルコキシ、アルキルチオ、アルキルスルフィニル、アルキルスルホニル、シアノ、ハロ、アルキル、ハロアルキル又はハロアルコキシ基で任意に置換されていてもよい）で任意に置換されていてもよい、アルキル、アルケニル又はアルキニル基であるか、
（２）１〜３個のアミノ、アルキルアミノ、ジアルキルアミノ、アルカノイルアミノ、アルコキシカルボニルアミノ、アルキルスルホニルアミノ、アルコキシカルボニル、ヒドロキシ、アルコキシ、アルキルチオ、シアノ、アルキル、ハロアルキル又はハロアルコキシ基で任意に置換されていてもよい、ヘテロシクリル基であるか、
（３）１〜３個のアミノ、アルキルアミノ、ジアルキルアミノ、アルカノイルアミノ、アルコキシカルボニルアミノ、アルキルスルホニルアミノ、アルコキシカルボニル、ヒドロキシ、アルコキシ、アルキルチオ、シアノ、ハロ、アジド、アルキル、ハロアルキル又はハロアルコキシ基で任意に置換されていてもよい、アリール又はヘテロアリール基であり；
各Ｒ３１は独立して水素基又はＲ３０である；
またここで、各Ｒ３２は独立して、
（１）水素基であるか、
（２）１〜３個のアミノ、アルキルアミノ、ジアルキルアミノ、ヒドロキシ、アルコキシ、アルキルチオ、シアノ又はハロ基で任意に置換されていてもよい、アルキル、アルケニル又はアルキニル基であるか、
（３）１〜３個のアミノ、アルキルアミノ、ジアルキルアミノ、ヒドロキシ、アルコキシ、アルキルチオ、シアノ、アルキル、ハロアルキル又はハロアルコキシ基で任意に置換されていてもよい、アリール、ヘテロアリール、アリール−アルキル、ヘテロアリール−アルキル、ヘテロシクリル、ヘテロシクリルアルキル、シクロアルキル又はシクロアルキルアルキル基であり；
各Ｒ３３は独立して、
（１）水素基であるか、
（２）１個のヘテロシクリル、アリール又はヘテロアリール基（これは１〜３個のアミノ、アルキルアミノ、ジアルキルアミノ、アルカノイルアミノ、アルコキシカルボニルアミノ、アルキルスルホニルアミノ、ヒドロキシ、アルコキシ、アルキルチオ、アルキルスルフィニル、アルキルスルホニル、シアノ、ハロ、アルキル、ハロアルキル又はハロアルコキシ基で任意に置換されていてもよい）で任意に置換されていてもよい、アルキル基であるか、
（３）１〜３個のアミノ、アルキルアミノ、ジアルキルアミノ、アルカノイルアミノ、アルコキシカルボニルアミノ、アルキルスルホニルアミノ、ヒドロキシ、アルコキシ、アルキルチオ、アルキルスルフィニル、アルキルスルホニル、シアノ、ハロ、アルキル、ハロアルキル又はハロアルコキシ基で任意に置換されていてもよい、ヘテロシクリル、アリール又はへテロアリール基であり；
各Ｒ３４は独立して水素、アルキル、アリール、ヘテロアリール、アリール−アルキル又はヘテロアリール−アルキル基であって、そのアリール及びヘテロアリール基は１〜３個のアミノ、アルキルアミノ、ジアルキルアミノ、アルカノイルアミノ、アルコキシカルボニルアミノ、アルキルスルホニルアミノ、ヒドロキシ、アルコキシ、アルキルチオ、アルキルスルフィニル、アルキルスルホニル、シアノ、ハロ、アルキル、ハロアルキル又はハロアルコキシ基で任意に置換されていてもよい］。
【請求項２】  Ｒ１が（１）１〜３個の−ＯＨ、−ＯＲ３、−ＳＲ３、−Ｓ（Ｏ）Ｒ３、−Ｓ（Ｏ）２Ｒ３、−Ｃ（Ｏ）Ｒ３、−ＮＲ３Ｒ４、アリール、ヘテロアリール、シクロアルキル又はヘテロシクリル基で任意に置換されていてもよい、Ｃ１〜Ｃ１２アルキル、Ｃ２〜Ｃ１２アルケニル、Ｃ２〜Ｃ１２アルキニル、シクロアルキル又はヘテロシクリル基であるか、（２）任意に置換されていてもよい５〜６員環の単環式へテロアリール又はヘテロシクリル基（これはフェニル基又は５〜６員環の単環式へテロアリール基で任意に置換されていてもよい）で任意に置換されていてもよい、アリール基であるか、もしくは（３）任意に置換されていてもよいフェニルもしくは５〜６員環の単環式へテロアリール又はヘテロシクリル基（これはフェニル基又は５〜６員環の単環式へテロアリール基で任意に置換されていてもよい）で任意に置換されていてもよい、ヘテロアリール基であり、（１）、（２）及び（３）のフェニル、アリール、ヘテロアリール、シクロアルキル及びヘテロシクリル基は１〜３個のヒドロキシ、−ＯＲ３、−ＳＲ３、−Ｓ（Ｏ）Ｒ３、−Ｓ（Ｏ）２Ｒ３、−Ｃ（Ｏ）Ｒ３、−ＮＲ３Ｒ４、アミノ、Ｃ１〜Ｃ８アルカノイルアミノ、Ｃ１〜Ｃ８アルキルスルホニルアミノ、Ｃ１〜Ｃ８アルコキシカルボニルアミノ、Ｃ１〜Ｃ８アルコキシカルボニル、シアノ、ハロ、アジド、Ｃ１〜Ｃ８アルキル又は１〜３個のハロ基を持つＣ１〜Ｃ８ハロアルキル基で任意に置換されていてもよく（ただし、Ｒ１中のフェニル、アリール、ヘテロアリール、シクロアルキル及びヘテロシクリル基の総数は０〜３とする）；
各Ｒ３が独立してＣ１〜Ｃ８アルキル、１〜３個のハロ基を持つＣ１〜Ｃ８ハロアルキル、アリール、ヘテロアリール、アリール−Ｃ１〜Ｃ４−アルキル又はヘテロアリール−Ｃ１〜Ｃ４−アルキル基であって、そのアリール及びヘテロアリール基は１〜３個のヒドロキシ、Ｃ１〜Ｃ４アルコキシ、Ｃ１〜Ｃ４アルキルチオール、アミノ、Ｃ１〜Ｃ８アルカノイルアミノ、Ｃ１〜Ｃ８アルキルスルホニルアミノ、Ｃ１〜Ｃ４アルキルスルフィニル、Ｃ１〜Ｃ４アルキルスルホニル、Ｃ１〜Ｃ８アルコキシカルボニルアミノ、Ｃ１〜Ｃ８アルコキシカルボニル、シアノ、ハロ、アジド、Ｃ１〜Ｃ８アルキル、１〜３個のハロ基を持つＣ１〜Ｃ８ハロアルキル又は１〜３個のハロ基を持つＣ１〜Ｃ８ハロアルコキシ基で任意に置換されていてもよく；また、各Ｒ４が独立して水素又はＣ１〜Ｃ８アルキル基であり；
Ｒ２が水素又はＣ１〜Ｃ４アルキル基であり；
Ｖが−ＣＲ８Ｒ１１−又は−ＣＲ８Ｒ１１−ＣＨＲ１２−であって、Ｒ１１とＲ１２はそれぞれ独立して（１）水素、−ＯＲ２０、−ＳＲ２１、−Ｃ（Ｏ）Ｒ２２、−ＮＲ３３−Ｃ（Ｏ）−Ｒ３１、−ＮＲ３３−Ｃ（Ｏ）−ＯＲ３０、−ＮＲ３３−Ｃ（Ｏ）−ＮＲ３２Ｒ３１、−ＮＲ３３−Ｓ（Ｏ）２−Ｒ３０、−ＮＲ３３−Ｓ（Ｏ）２−ＮＲ３２Ｒ３１、シクロアルキル、アリール又はヘテロアリール基であるか、（２）１〜３個の−ＯＲ２０、−ＳＲ２１、−Ｃ（Ｏ）Ｒ２２、−ＮＲ３３−Ｃ（Ｏ）−Ｒ３１、−ＮＲ３３−Ｃ（Ｏ）−ＯＲ３０、−ＮＲ３３−Ｃ（Ｏ）−Ｒ３２Ｒ３１、−ＮＲ３３−Ｓ（Ｏ）２−Ｒ３０、−ＮＲ３３−Ｓ（Ｏ）２−ＮＲ３２Ｒ３１、アリール又はヘテロアリール基で任意に置換されていてもよい、Ｃ１〜Ｃ８アルキル、Ｃ２〜Ｃ８アルケニル又はＣ２〜Ｃ８アルキニル基であって、（１）と（２）のシクロアルキル、アリール及びヘテロアリール基は１〜３個のヒドロキシ、Ｃ１〜Ｃ４アルコキシ、Ｃ１〜Ｃ４アルキルチオール、アミノ、Ｃ１〜Ｃ８アルカノイルアミノ、Ｃ１〜Ｃ８アルキルスルホニルアミノ、Ｃ１〜Ｃ４アルキルスルフィニル、Ｃ１〜Ｃ４アルキルスルホニル、Ｃ１〜Ｃ８アルコキシカルボニルアミノ、Ｃ１〜Ｃ８アルコキシカルボニル、シアノ、ハロ、アジド、Ｃ１〜Ｃ８アルキル、１〜３個のハロ基を持つＣ１〜Ｃ８ハロアルキル又は１〜３個のハロ基を持つＣ１〜Ｃ８ハロアルコキシ基で任意に置換されていてもよく；
各Ｒ２０が独立して水素、Ｃ１〜Ｃ８アルキル、Ｃ２〜Ｃ８アルケニル、アリール、ヘテロアリール、アリール−Ｃ１〜Ｃ４−アルキル、ヘテロアリール−Ｃ１〜Ｃ４−アルキル、Ｃ１〜Ｃ８アルカノイル、アロイル又はヘテロアロイル基であって、そのアルキル及びアルケニル基は−Ｃ（Ｏ）Ｒ２２で任意に置換されていてもよく、またそのアリール及びヘテロアリール基は１〜３個のヒドロキシ、Ｃ１〜Ｃ４アルコキシ、Ｃ１〜Ｃ４アルキルチオール、アミノ、Ｃ１〜Ｃ８アルカノイルアミノ、Ｃ１〜Ｃ８アルキルスルホニルアミノ、Ｃ１〜Ｃ４アルキルスルフィニル、Ｃ１〜Ｃ４アルキルスルホニル、Ｃ１〜Ｃ８アルコキシカルボニルアミノ、Ｃ１〜Ｃ８アルコキシカルボニル、シアノ、ハロ、アジド、Ｃ１〜Ｃ８アルキル、１〜３個のハロ基を持つＣ１〜Ｃ８ハロアルキル又は１〜３個のハロ基を持つＣ１〜Ｃ８ハロアルコキシ基で任意に置換されていてもよく；
各Ｒ２１が独立してＣ１〜Ｃ８アルキル、Ｃ１〜Ｃ８アルキル−Ｃ（Ｏ）Ｒ２２、アリール、ヘテロアリール、アリール−Ｃ１〜Ｃ４−アルキル又はヘテロアリール−Ｃ１〜Ｃ４−アルキル基であって、そのアリール及びヘテロアリール基は１〜３個のヒドロキシ、Ｃ１〜Ｃ４アルコキシ、Ｃ１〜Ｃ４アルキルチオール、アミノ、Ｃ１〜Ｃ８アルカノイルアミノ、Ｃ１〜Ｃ８アルキルスルホニルアミノ、Ｃ１〜Ｃ４アルキルスルフィニル、Ｃ１〜Ｃ４アルキルスルホニル、Ｃ１〜Ｃ８アルコキシカルボニルアミノ、Ｃ１〜Ｃ８アルコキシカルボニル、シアノ、ハロ、アジド、Ｃ１〜Ｃ８アルキル、１〜３個のハロ基を持つＣ１〜Ｃ８ハロアルキル又は１〜３個のハロ基を持つＣ１〜Ｃ８ハロアルコキシ基で任意に置換されていてもよく；
各Ｒ２２が独立してヒドロキシ、Ｃ１〜Ｃ８アルコキシ、アリールオキシ、アリール−Ｃ１〜Ｃ４−アルコキシ、ヘテロアリールオキシ、ヘテロアリール−Ｃ１〜Ｃ４−アルコキシ又は−ＮＲ２３Ｒ２４基であって、ここに各Ｒ２３は独立して水素、Ｃ１〜Ｃ８アルキル、アリール、アリール−Ｃ１〜Ｃ４−アルキル、ヘテロアリール又はヘテロアリール−Ｃ１〜Ｃ４−アルキル基であり、かつ各Ｒ２４が独立して水素又はＣ１〜Ｃ８アルキル基であるか、もしくは−ＮＲ２３Ｒ２４がヘテロシクリル又はヘテロアリール基を表し、Ｒ２２、Ｒ２３及び−ＮＲ２３Ｒ２４のヘテロシクリル、アリール及びヘテロアリール基は１〜３個のヒドロキシ、Ｃ１〜Ｃ４アルコキシ、Ｃ１〜Ｃ４アルキルチオール、アミノ、Ｃ１〜Ｃ８アルカノイルアミノ、Ｃ１〜Ｃ８アルキルスルホニルアミノ、Ｃ１〜Ｃ４アルキルスルフィニル、Ｃ１〜Ｃ４アルキルスルホニル、Ｃ１〜Ｃ８アルコキシカルボニルアミノ、Ｃ１〜Ｃ８アルコキシカルボニル、シアノ、ハロ、アジド、Ｃ１〜Ｃ８アルキル、１〜３個のハロ基を持つＣ１〜Ｃ８ハロアルキル又は１〜３個のハロ基を持つＣ１〜Ｃ８ハロアルコキシ基で任意に置換されていてもよく；
Ｒ５、Ｒ６、Ｒ７及びＲ８がそれぞれ独立して水素又はＣ１〜Ｃ４アルキル基であるか、ＣＲ５−ＣＲ６、ＣＲ６−ＣＲ７又はＣＲ７−ＣＲ８の１つがＣ＝Ｃであり；
Ｒ９とＲ１０がそれぞれ独立して−Ｂ−Ａであり（ただし、Ｒ９、Ｒ１０、Ｒ１１及びＲ１２中のアリール、ヘテロアリール、シクロアルキル及びヘテロシクリル基の合計総数は０〜３とする）；
各Ｂが独立して、
（１）結合であるか、
（２）（ａ）１〜３個のアミノ、Ｃ１〜Ｃ４アルキルアミノ、ジ（Ｃ１〜Ｃ４アルキル）アミノ、Ｃ１〜Ｃ５アルカノイルアミノ、（Ｃ１〜Ｃ４アルコキシ）カルボニルアミノ、Ｃ１〜Ｃ４アルキルスルホニルアミノ、ヒドロキシ、Ｃ１〜Ｃ４アルコキシ、Ｃ１〜Ｃ４アルキルチオ、シアノ又はハロ基、及び／又は（ｂ）１〜３個のアミノ、Ｃ１〜Ｃ４アルキルアミノ、ジ（Ｃ１〜Ｃ４アルキル）アミノ、Ｃ１〜Ｃ５アルカノイルアミノ、（Ｃ１〜Ｃ４アルコキシ）カルボニルアミノ、Ｃ１〜Ｃ４アルキルスルホニルアミノ、ヒドロキシ、Ｃ１〜Ｃ４アルコキシ、Ｃ１〜Ｃ４アルキルチオ、シアノ、ハロ、Ｃ１〜Ｃ４アルキル、１〜３個のハロ基を持つＣ１〜Ｃ４ハロアルキル又は１〜３個のハロ基を持つＣ１〜Ｃ４ハロアルコキシ基で任意に置換されていてもよい１〜２個のヘテロシクリル、アリール又はヘテロアリール基、で任意に置換されていてもよい、Ｃ１〜Ｃ８アルキル、Ｃ２〜Ｃ８アルケニル又はＣ２〜Ｃ８アルキニル基であるか、
（３）１〜３個のアミノ、Ｃ１〜Ｃ４アルキルアミノ、ジ（Ｃ１〜Ｃ４アルキル）アミノ、Ｃ１〜Ｃ５アルカノイルアミノ、（Ｃ１〜Ｃ４アルコキシ）カルボニルアミノ、Ｃ１〜Ｃ４アルキルスルホニルアミノ、ヒドロキシ、Ｃ１〜Ｃ４アルコキシ、Ｃ１〜Ｃ４アルキルチオ、シアノ、Ｃ１〜Ｃ４アルキル、１〜３個のハロ基を持つＣ１〜Ｃ４ハロアルキル又は１〜３個のハロ基を持つＣ１〜Ｃ４ハロアルコキシ基で任意に置換されていてもよい、ヘテロシクリル基であるか、
（４）１〜３個のアミノ、Ｃ１〜Ｃ４アルキルアミノ、ジ（Ｃ１〜Ｃ４アルキル）アミノ、Ｃ１〜Ｃ５アルカノイルアミノ、（Ｃ１〜Ｃ４アルコキシ）カルボニルアミノ、Ｃ１〜Ｃ４アルキルスルホニルアミノ、ヒドロキシ、Ｃ１〜Ｃ４アルコキシ、Ｃ１〜Ｃ４アルキルチオ、シアノ、ハロ、Ｃ１〜Ｃ４アルキル、１〜３個のハロ基を持つＣ１〜Ｃ８ハロアルキル又は１〜３個のハロ基を持つＣ１〜Ｃ８ハロアルコキシ基で任意に置換されていてもよい、アリール又はヘテロアリール基であり；
各Ａが独立して、
（１）水素基であるか、
（２）ハロ、シアノ又はニトロ基であるか、
（３）−Ｃ（Ｏ）−Ｒ３０、−Ｃ（Ｏ）−ＯＲ３１、−Ｃ（Ｏ）−ＮＲ３２Ｒ３１又は−Ｃ（ＮＲ３２）−ＮＲ３２Ｒ３１基であるか、
（４）−ＯＲ３１、−Ｏ−Ｃ（Ｏ）−Ｒ３１、−Ｏ−Ｃ（Ｏ）−ＮＲ３２Ｒ３１又は−Ｏ−Ｃ（Ｏ）−ＮＲ３３−Ｓ（Ｏ）２−Ｒ３０基であるか、
（５）−ＳＲ３１、−Ｓ（Ｏ）−Ｒ３０、−Ｓ（Ｏ）２−Ｒ３０、−Ｓ（Ｏ）２−ＮＲ３２Ｒ３１、−Ｓ（Ｏ）２−ＮＲ３３−Ｃ（Ｏ）−Ｒ３１、−Ｓ（Ｏ）２−ＮＲ３３−Ｃ（Ｏ）−ＯＲ３０又は−Ｓ（Ｏ）２−ＮＲ３３−Ｃ（Ｏ）−ＮＲ３２Ｒ３１基であるか、
（６）−ＮＲ３２Ｒ３１、−ＮＲ３３−Ｃ（Ｏ）−Ｒ３１、−ＮＲ３３−Ｃ（Ｏ）−ＯＲ３０、−ＮＲ３３−Ｃ（Ｏ）−ＮＲ３２Ｒ３１、−ＮＲ３３−Ｃ（ＮＲ３２）−ＮＲ３２Ｒ３１、−ＮＲ３３−Ｓ（Ｏ）２−Ｒ３０又は−ＮＲ３３−Ｓ（Ｏ）２−ＮＲ３２Ｒ３１基であり；
各Ｒ３０が独立して、
（１）１〜３個の−ＣＯ２Ｒ３４、アミノ、Ｃ１〜Ｃ４アルキルアミノ、ジ（Ｃ１〜Ｃ４アルキル）アミノ、Ｃ１〜Ｃ５アルカノイルアミノ、（Ｃ１〜Ｃ４アルコキシ）カルボニルアミノ、Ｎ−（（Ｃ１〜Ｃ４アルコキシ）カルボニル）−Ｎ−（Ｃ１〜Ｃ４アルキル）アミノ、アミノカルボニルアミノ、Ｃ１〜Ｃ４アルキルスルホニルアミノ、ヒドロキシ、Ｃ１〜Ｃ４アルコキシ、Ｃ１〜Ｃ４アルキルチオ、Ｃ１〜Ｃ４アルキルスルフィニル、Ｃ１〜Ｃ４アルキルスルホニル、シアノ、ハロ、アリール−Ｃ１〜Ｃ４−アルコキシ、アリール−Ｃ１〜Ｃ４−アルキルチオ、アリール−Ｃ１〜Ｃ４−アルキルスルホニル、Ｃ３〜Ｃ８シクロアルキル、ヘテロシクリル、アリール又はヘテロアリール基（ここで、そのシクロアルキル、ヘテロシクリル、アリール及びヘテロアリール基は１〜３個のアミノ、Ｃ１〜Ｃ４アルキルアミノ、ジ（Ｃ１〜Ｃ４アルキル）アミノ、Ｃ１〜Ｃ５アルカノイルアミノ、（Ｃ１〜Ｃ４アルコキシ）カルボニルアミノ、Ｃ１〜Ｃ４アルキルスルホニルアミノ、Ｃ１〜Ｃ５アルカノイル、（Ｃ１〜Ｃ４アルコキシ）カルボニル、ヒドロキシ、Ｃ１〜Ｃ４アルコキシ、Ｃ１〜Ｃ４アルキルチオ、Ｃ１〜Ｃ４アルキルスルフィニル、Ｃ１〜Ｃ４アルキルスルホニル、シアノ、ハロ、Ｃ１〜Ｃ４アルキル、１〜３個のハロ基を持つＣ１〜Ｃ４ハロアルキル又は１〜３個のハロ基を持つＣ１〜Ｃ４ハロアルコキシ基で任意に置換されていてもよい）で任意に置換されていてもよい、Ｃ１〜Ｃ８アルキル、Ｃ２〜Ｃ８アルケニル又はＣ２〜Ｃ８アルキニル基であるか、
（２）１〜３個のアミノ、Ｃ１〜Ｃ４アルキルアミノ、ジ（Ｃ１〜Ｃ４アルキル）アミノ、Ｃ１〜Ｃ５アルカノイルアミノ、（Ｃ１〜Ｃ４アルコキシ）カルボニルアミノ、Ｃ１〜Ｃ４アルキルスルホニルアミノ、（Ｃ１〜Ｃ４アルコキシ）カルボニル、ヒドロキシ、Ｃ１〜Ｃ４アルコキシ、Ｃ１〜Ｃ４アルキルチオ、シアノ、Ｃ１〜Ｃ４アルキル、１〜３個のハロ基を持つＣ１〜Ｃ４ハロアルキル又は１〜３個のハロ基を持つＣ１〜Ｃ４ハロアルコキシ基で任意に置換されていてもよい、ヘテロシクリル基であるか、
（３）１〜３個のアミノ、Ｃ１〜Ｃ４アルキルアミノ、ジ（Ｃ１〜Ｃ４アルキル）アミノ、Ｃ１〜Ｃ５アルカノイルアミノ、（Ｃ１〜Ｃ４アルコキシ）カルボニルアミノ、Ｃ１〜Ｃ４アルキルスルホニルアミノ、（Ｃ１〜Ｃ４アルコキシ）カルボニル、ヒドロキシ、Ｃ１〜Ｃ４アルコキシ、Ｃ１〜Ｃ４アルキルチオ、シアノ、ハロ、アジド、Ｃ１〜Ｃ４アルキル、１〜３個のハロ基を持つＣ１〜Ｃ４ハロアルキル又は１〜３個のハロ基を持つＣ１〜Ｃ４ハロアルコキシ基で任意に置換されていてもよい、アリール又はヘテロアリール基であり；
各Ｒ３１が独立して水素基又はＲ３０であり；
各Ｒ３２が独立して、
（１）水素基であるか、
（２）１〜３個のアミノ、Ｃ１〜Ｃ４アルキルアミノ、ジ（Ｃ１〜Ｃ４アルキル）アミノ、ヒドロキシ、Ｃ１〜Ｃ４アルコキシ、Ｃ１〜Ｃ４アルキルチオ、シアノ又はハロ基で任意に置換されていてもよい、Ｃ１〜Ｃ８アルキル、Ｃ２〜Ｃ８アルケニル又はＣ２〜Ｃ８アルキニル基であるか、
（３）１〜３個のアミノ、Ｃ１〜Ｃ４アルキルアミノ、ジ（Ｃ１〜Ｃ４アルキル）アミノ、ヒドロキシ、Ｃ１〜Ｃ４アルコキシ、Ｃ１〜Ｃ４アルキルチオ、シアノ、Ｃ１〜Ｃ４アルキル、１〜３個のハロ基を持つＣ１〜Ｃ４ハロアルキル又は１〜３個のハロ基を持つＣ１〜Ｃ４ハロアルコキシ基で任意に置換されていてもよい、アリール、ヘテロアリール、アリール−Ｃ１〜Ｃ４−アルキル、ヘテロアリール−Ｃ１〜Ｃ４−アルキル、ヘテロシクリル、ヘテロシクリル−Ｃ１〜Ｃ４−アルキル、Ｃ３〜Ｃ８シクロアルキル又はＣ３〜Ｃ８−シクロアルキル−Ｃ１〜Ｃ４−アルキル基であり；
各Ｒ３３が独立して、
（１）水素基であるか、
（２）１個のヘテロシクリル、アリール又はヘテロアリール基（これは１〜３個のアミノ、Ｃ１〜Ｃ４アルキルアミノ、ジ（Ｃ１〜Ｃ４アルキル）アミノ、Ｃ１〜Ｃ５アルカノイルアミノ、（Ｃ１〜Ｃ４アルコキシ）カルボニルアミノ、Ｃ１〜Ｃ４アルキルスルホニルアミノ、ヒドロキシ、Ｃ１〜Ｃ４アルコキシ、Ｃ１〜Ｃ４アルキルチオ、Ｃ１〜Ｃ４アルキルスルフィニル、Ｃ１〜Ｃ４アルキルスルホニル、シアノ、ハロ、Ｃ１〜Ｃ４アルキル、１〜３個のハロ基を持つＣ１〜Ｃ４ハロアルキル又は１〜３個のハロ基を持つＣ１〜Ｃ４ハロアルコキシ基で任意に置換されていてもよい）で任意に置換されていてもよい、Ｃ１〜Ｃ４アルキル基であるか、
（３）１〜３個のアミノ、Ｃ１〜Ｃ４アルキルアミノ、ジ（Ｃ１〜Ｃ４アルキル）アミノ、Ｃ１〜Ｃ５アルカノイルアミノ、（Ｃ１〜Ｃ４アルコキシ）カルボニルアミノ、Ｃ１〜Ｃ４アルキルスルホニルアミノ、ヒドロキシ、Ｃ１〜Ｃ４アルコキシ、Ｃ１〜Ｃ４アルキルチオ、Ｃ１〜Ｃ４アルキルスルフィニル、Ｃ１〜Ｃ４アルキルスルホニル、シアノ、ハロ、Ｃ１〜Ｃ４アルキル、１〜３個のハロ基を持つＣ１〜Ｃ４ハロアルキル又は１〜３個のハロ基を持つハロアルコキシ基で任意に置換されていてもよい、ヘテロシクリル、アリール又はへテロアリール基であり；
各Ｒ３４が独立して水素、Ｃ１〜Ｃ４アルキル、アリール、ヘテロアリール、アリール−Ｃ１〜Ｃ４−アルキル又はヘテロアリール−Ｃ１〜Ｃ４−アルキル基であって、そのアリール及びヘテロアリール基は１〜３個のアミノ、Ｃ１〜Ｃ４アルキルアミノ、ジ（Ｃ１〜Ｃ４アルキル）アミノ、Ｃ１〜Ｃ５アルカノイルアミノ、（Ｃ１〜Ｃ４アルコキシ）カルボニルアミノ、Ｃ１〜Ｃ４アルキルスルホニルアミノ、ヒドロキシ、Ｃ１〜Ｃ４アルコキシ、Ｃ１〜Ｃ４アルキルチオ、Ｃ１〜Ｃ４アルキルスルフィニル、Ｃ１〜Ｃ４アルキルスルホニル、シアノ、ハロ、Ｃ１〜Ｃ４アルキル、１〜３個のハロ基を持つＣ１〜Ｃ４ハロアルキル又は１〜３個のハロ基を持つハロアルコキシ基で任意に置換されていてもよく；
シクロアルキルは、部分不飽和又はベンゾ縮合型であってもよい３〜１０員環の単環式、二環式又は三環式の炭素環式アルキル基であり；ヘテロシクリルは、環１個につき５〜８員環を有する単環式又は二環式の飽和ヘテロ環式環構造の基であって、１〜３員環が酸素、イオウ又は窒素ヘテロ原子であり、任意に部分不飽和又はベンゾ縮合型であってもよいと共に、１〜２個のオキソ又はチオオキソ基で任意に置換されていてもよく；アリールは、フェニル、ビフェニル又はナフチル基であり；ヘテロアリールは、環１個につき５〜６員環の単環式又は二環式の芳香族ヘテロ環式環構造の基であって、１〜３員環が酸素、イオウ又は窒素ヘテロ原子であり、任意にベンゾ縮合型又は飽和Ｃ３〜Ｃ４炭素環縮合型であってもよい、
請求項１に記載の化合物又は薬学上許容できるその塩。
【請求項３】  Ｒ１が（１）１〜３個の−ＯＨ、−ＯＲ３、−ＳＲ３、−Ｓ（Ｏ）Ｒ３、−Ｓ（Ｏ）２Ｒ３、―Ｃ（Ｏ）Ｒ３、−ＮＲ３Ｒ４、アリール、ヘテロアリール、シクロアルキル又はヘテロシクリル基で任意に置換されていてもよい、Ｃ１〜Ｃ１２アルキル、Ｃ２〜Ｃ１２アルケニル、Ｃ２〜Ｃ１２アルキニル、シクロアルキル又はヘテロシクリル基であるか、（２）任意に置換されていてもよい５〜６員環の単環式へテロアリール又はヘテロシクリル基（これはフェニル基又は５〜６員環の単環式へテロアリール基で任意に置換されていてもよい）で任意に置換されていてもよい、アリール基であるか、もしくは（３）任意に置換されていてもよいフェニルもしくは５〜６員環の単環式へテロアリール又はへテロサイクリル基（これはフェニル基又は５〜６員環の単環式へテロアリール基で任意に置換されていてもよい）で任意に置換されていてもよい、ヘテロアリール基であって、（１）、（２）及び（３）のフェニル、アリール、ヘテロアリール、シクロアルキル及びヘテロシクリル基は１〜３個のヒドロキシ、−ＯＲ３、−ＳＲ３、−Ｓ（Ｏ）Ｒ３、−Ｓ（Ｏ）２Ｒ３、−Ｃ（Ｏ）Ｒ３、−ＮＲ３Ｒ４、アミノ、Ｃ１〜Ｃ４アルカノイルアミノ、Ｃ１〜Ｃ４アルキルスルホニルアミノ、Ｃ１〜Ｃ４アルコキシカルボニルアミノ、Ｃ１〜Ｃ４アルコキシカルボニル、シアノ、ハロ、アジド、Ｃ１〜Ｃ６アルキル又は１〜３個のハロ基を持つＣ１〜Ｃ４ハロアルキル基で任意に置換されていてもよく（ただし、Ｒ１中のフェニル、アリール、ヘテロアリール、シクロアルキル及びヘテロシクリル基の総数は０〜３とする）；
各Ｒ３が独立してＣ１〜Ｃ４アルキル、１〜３個のハロ基を持つＣ１〜Ｃ４ハロアルキル、アリール、ヘテロアリール、アリール−Ｃ１〜Ｃ４−アルキル又はヘテロアリール−Ｃ１〜Ｃ４−アルキル基であって、そのアリール及びヘテロアリール基は１〜３個のヒドロキシ、Ｃ１〜Ｃ４アルコキシ、Ｃ１〜Ｃ４アルキルチオール、アミノ、Ｃ１〜Ｃ４アルカノイルアミノ、Ｃ１〜Ｃ４アルキルスルホニルアミノ、Ｃ１〜Ｃ４アルキルスルフィニル、Ｃ１〜Ｃ４アルキルスルホニル、Ｃ１〜Ｃ４アルコキシカルボニルアミノ、Ｃ１〜Ｃ４アルコキシカルボニル、シアノ、ハロ、アジド、Ｃ１〜Ｃ４アルキル、１〜３個のハロ基を持つＣ１〜Ｃ４ハロアルキル又は１〜３個のハロ基を持つＣ１〜Ｃ４ハロアルコキシ基で任意に置換されていてもよく；また、各Ｒ４が独立して水素又はＣ１〜Ｃ４アルキル基であり；
Ｖが−ＣＲ８Ｒ１１−又は−ＣＲ８Ｒ１１−ＣＨＲ１２−であって、Ｒ１１とＲ１２はそれぞれ独立して（１）水素、−ＯＲ２０、−ＳＲ２１、−Ｃ（Ｏ）Ｒ２２、−ＮＲ３３−Ｃ（Ｏ）−Ｒ３１、−ＮＲ３３−Ｃ（Ｏ）−ＯＲ３０、−ＮＲ３３−Ｃ（Ｏ）−Ｒ３２Ｒ３１、−ＮＲ３３−Ｓ（Ｏ）２−Ｒ３０、−ＮＲ３３−Ｓ（Ｏ）２−ＮＲ３２Ｒ３１、シクロアルキル、アリール又はヘテロアリール基であるか、（２）１〜３個の−ＯＲ２０、−ＳＲ２１、−Ｃ（Ｏ）Ｒ２２、−ＮＲ３３−Ｃ（Ｏ）−Ｒ３１、−ＮＲ３３−Ｃ（Ｏ）−ＯＲ３０、−ＮＲ３３−Ｃ（Ｏ）−Ｒ３２Ｒ３１、−ＮＲ３３−Ｓ（Ｏ）２−Ｒ３０、−ＮＲ３３−Ｓ（Ｏ）２−ＮＲ３２Ｒ３１、アリール又はヘテロアリール基で任意に置換されていてもよい、Ｃ１〜Ｃ８アルキル、Ｃ２〜Ｃ８アルケニル又はＣ２〜Ｃ８アルキニル基であって、（１）と（２）のシクロアルキル、アリール及びヘテロアリール基は１〜３個のヒドロキシ、Ｃ１〜Ｃ４アルコキシ、Ｃ１〜Ｃ４アルキルチオール、アミノ、Ｃ１〜Ｃ４アルカノイルアミノ、Ｃ１〜Ｃ４アルキルスルホニルアミノ、Ｃ１〜Ｃ４アルキルスルフィニル、Ｃ１〜Ｃ４アルキルスルホニル、Ｃ１〜Ｃ４アルコキシカルボニルアミノ、Ｃ１〜Ｃ４アルコキシカルボニル、シアノ、ハロ、アジド、Ｃ１〜Ｃ４アルキル、１〜３個のハロ基を持つＣ１〜Ｃ４ハロアルキル又は１〜３個のハロ基を持つＣ１〜Ｃ４ハロアルコキシ基で任意に置換されていてもよく；
各Ｒ２０が独立して水素、Ｃ１〜Ｃ４アルキル、Ｃ２〜Ｃ４アルケニル、アリール、ヘテロアリール、アリール−Ｃ１〜Ｃ４−アルキル、ヘテロアリール−Ｃ１〜Ｃ４−アルキル、Ｃ１〜Ｃ４アルカノイル、アロイル又はヘテロアロイル基であって、そのアルキル及びアルケニル基は−Ｃ（Ｏ）Ｒ２２で任意に置換されていてもよく、またそのアリール及びヘテロアリール基は１〜３個のヒドロキシ、Ｃ１〜Ｃ４アルコキシ、Ｃ１〜Ｃ４アルキルチオール、アミノ、Ｃ１〜Ｃ４アルカノイルアミノ、Ｃ１〜Ｃ４アルキルスルホニルアミノ、Ｃ１〜Ｃ４アルキルスルフィニル、Ｃ１〜Ｃ４アルキルスルホニル、Ｃ１〜Ｃ４アルコキシカルボニルアミノ、Ｃ１〜Ｃ４アルコキシカルボニル、シアノ、ハロ、アジド、Ｃ１〜Ｃ４アルキル、１〜３個のハロ基を持つＣ１〜Ｃ４ハロアルキル又は１〜３個のハロ基を持つＣ１〜Ｃ４ハロアルコキシ基で任意に置換されていてもよく；
各Ｒ２１が独立してＣ１〜Ｃ４アルキル、Ｃ１〜Ｃ４アルキル−Ｃ（Ｏ）Ｒ２２、アリール、ヘテロアリール、アリール−Ｃ１〜Ｃ４−アルキル又はヘテロアリール−Ｃ１〜Ｃ４−アルキル基であって、そのアリール及びヘテロアリール基は１〜３個のヒドロキシ、Ｃ１〜Ｃ４アルコキシ、Ｃ１〜Ｃ４アルキルチオール、アミノ、Ｃ１〜Ｃ４アルカノイルアミノ、Ｃ１〜Ｃ４アルキルスルホニルアミノ、Ｃ１〜Ｃ４アルキルスルフィニル、Ｃ１〜Ｃ４アルキルスルホニル、Ｃ１〜Ｃ４アルコキシカルボニルアミノ、Ｃ１〜Ｃ４アルコキシカルボニル、シアノ、ハロ、アジド、Ｃ１〜Ｃ４アルキル、１〜３個のハロ基を持つＣ１〜Ｃ４ハロアルキル又は１〜３個のハロ基を持つＣ１〜Ｃ４ハロアルコキシ基で任意に置換されていてもよく；
各Ｒ２２が独立してヒドロキシ、Ｃ１〜Ｃ４アルコキシ、アリールオキシ、アリール−Ｃ１〜Ｃ２−アルコキシ、ヘテロアリールオキシ、ヘテロアリール−Ｃ１〜Ｃ２−アルコキシ又は−ＮＲ２３Ｒ２４基であって、ここに各Ｒ２３は独立して水素、Ｃ１〜Ｃ４アルキル、アリール、アリール−Ｃ１〜Ｃ２−アルキル、ヘテロアリール又はヘテロアリール−Ｃ１〜Ｃ２−アルキル基であり、かつ各Ｒ２４が独立して水素又はＣ１〜Ｃ４アルキル基であるか、もしくは−ＮＲ２３Ｒ２４がヘテロシクリル又はヘテロアリール基を表し、Ｒ２２、Ｒ２３及び−ＮＲ２３Ｒ２４のヘテロシクリル、アリール及びヘテロアリール基は１〜３個のヒドロキシ、Ｃ１〜Ｃ４アルコキシ、Ｃ１〜Ｃ４アルキルチオール、アミノ、Ｃ１〜Ｃ４アルカノイルアミノ、Ｃ１〜Ｃ４アルキルスルホニルアミノ、Ｃ１〜Ｃ４アルキルスルフィニル、Ｃ１〜Ｃ４アルキルスルホニル、Ｃ１〜Ｃ４アルコキシカルボニルアミノ、Ｃ１〜Ｃ４アルコキシカルボニル、シアノ、ハロ、アジド、Ｃ１〜Ｃ４アルキル、１〜３個のハロ基を持つＣ１〜Ｃ４ハロアルキル又は１〜３個のハロ基を持つＣ１〜Ｃ４ハロアルコキシ基で任意に置換されていてもよく；
各Ｂが独立して、
（１）結合であるか、
（２）（ａ）１個のアミノ、Ｃ１〜Ｃ４アルキルアミノ、ジ（Ｃ１〜Ｃ４アルキル）アミノ、Ｃ１〜Ｃ５アルカノイルアミノ、（Ｃ１〜Ｃ４アルコキシ）カルボニルアミノ、Ｃ１〜Ｃ４アルキルスルホニルアミノ、ヒドロキシ、Ｃ１〜Ｃ４アルコキシ、Ｃ１〜Ｃ４アルキルチオ、シアノ基、及び／又は（ｂ）１〜３個のハロ基、及び／又は（ｃ）１〜３個のアミノ、Ｃ１〜Ｃ４アルキルアミノ、ジ（Ｃ１〜Ｃ４アルキル）アミノ、Ｃ１〜Ｃ５アルカノイルアミノ、（Ｃ１〜Ｃ４アルコキシ）カルボニルアミノ、Ｃ１〜Ｃ４アルキルスルホニルアミノ、ヒドロキシ、Ｃ１〜Ｃ４アルコキシ、Ｃ１〜Ｃ４アルキルチオ、シアノ、ハロ、Ｃ１〜Ｃ４アルキル、１〜３個のハロ基を持つＣ１〜Ｃ４ハロアルキル又は１〜３個のハロ基を持つＣ１〜Ｃ４ハロアルコキシ基で任意に置換されていてもよい１〜２個のヘテロシクリル、アリール又はヘテロアリール基、で任意に置換されていてもよい、Ｃ１〜Ｃ８アルキル基であるか、
（３）ヘテロシクリル基であるか、
（４）１〜３個のアミノ、Ｃ１〜Ｃ４アルキルアミノ、ジ（Ｃ１〜Ｃ４アルキル）アミノ、Ｃ１〜Ｃ５アルカノイルアミノ、（Ｃ１〜Ｃ４アルコキシ）カルボニルアミノ、Ｃ１〜Ｃ４アルキルスルホニルアミノ、ヒドロキシ、Ｃ１〜Ｃ４アルコキシ、Ｃ１〜Ｃ４アルキルチオ、シアノ、ハロ、Ｃ１〜Ｃ４アルキル、１〜３個のハロ基を持つＣ１〜Ｃ４ハロアルキル又は１〜３個のハロ基を持つＣ１〜Ｃ４ハロアルコキシ基で任意に置換されていてもよい、アリール又はヘテロアリール基であり；
各Ｒ３０が独立して、
（１）１〜３個の−ＣＯ２Ｒ３４、アミノ、Ｃ１〜Ｃ４アルキルアミノ、ジ（Ｃ１〜Ｃ４アルキル）アミノ、Ｃ１〜Ｃ５アルカノイルアミノ、（Ｃ１〜Ｃ４アルコキシ）カルボニルアミノ、Ｎ−（（Ｃ１〜Ｃ４アルコキシ）カルボニル）−Ｎ−（Ｃ１〜Ｃ４アルキル）アミノ、アミノカルボニルアミノ、Ｃ１〜Ｃ４アルキルスルホニルアミノ、ヒドロキシ、Ｃ１〜Ｃ４アルコキシ、Ｃ１〜Ｃ４アルキルチオ、Ｃ１〜Ｃ４アルキルスルフィニル、Ｃ１〜Ｃ４アルキルスルホニル、シアノ、ハロ、アリール−Ｃ１〜Ｃ４−アルコキシ、アリール−Ｃ１〜Ｃ４−アルキルチオ、アリール−Ｃ１〜Ｃ４−アルキルスルホニル、Ｃ３〜Ｃ８シクロアルキル、ヘテロシクリル、アリール又はヘテロアリール基（ここで、そのシクロアルキル、ヘテロシクリル、アリール及びヘテロアリール基は１〜３個のアミノ、Ｃ１〜Ｃ４アルキルアミノ、ジ（Ｃ１〜Ｃ４アルキル）アミノ、Ｃ１〜Ｃ５アルカノイルアミノ、（Ｃ１〜Ｃ４アルコキシ）カルボニルアミノ、Ｃ１〜Ｃ４アルキルスルホニルアミノ、Ｃ１〜Ｃ５アルカノイル、（Ｃ１〜Ｃ４アルコキシ）カルボニル、ヒドロキシ、Ｃ１〜Ｃ４アルコキシ、Ｃ１〜Ｃ４アルキルチオ、Ｃ１〜Ｃ４アルキルスルフィニル、Ｃ１〜Ｃ４アルキルスルホニル、シアノ、ハロ、Ｃ１〜Ｃ４アルキル、１〜３個のハロ基を持つＣ１〜Ｃ４ハロアルキル又は１〜３個のハロ基を持つＣ１〜Ｃ４ハロアルコキシ基で任意に置換されていてもよい）で任意に置換されていてもよい、Ｃ１〜Ｃ６アルキル基であるか、
（２）１〜３個のアミノ、Ｃ１〜Ｃ４アルキルアミノ、ジ（Ｃ１〜Ｃ４アルキル）アミノ、Ｃ１〜Ｃ５アルカノイルアミノ、（Ｃ１〜Ｃ４アルコキシ）カルボニルアミノ、Ｃ１〜Ｃ４アルキルスルホニルアミノ、（Ｃ１〜Ｃ４アルコキシ）カルボニル、ヒドロキシ、Ｃ１〜Ｃ４アルコキシ、Ｃ１〜Ｃ４アルキルチオ、シアノ、Ｃ１〜Ｃ４アルキル、１〜３個のハロ基を持つＣ１〜Ｃ４ハロアルキル又は１〜３個のハロ基を持つＣ１〜Ｃ４ハロアルコキシ基で任意に置換されていてもよい、ヘテロシクリル基であるか、
（３）１〜３個のアミノ、Ｃ１〜Ｃ４アルキルアミノ、ジ（Ｃ１〜Ｃ４アルキル）アミノ、Ｃ１〜Ｃ５アルカノイルアミノ、（Ｃ１〜Ｃ４アルコキシ）カルボニルアミノ、Ｃ１〜Ｃ４アルキルスルホニルアミノ、（Ｃ１〜Ｃ４アルコキシ）カルボニル、ヒドロキシ、Ｃ１〜Ｃ４アルコキシ、Ｃ１〜Ｃ４アルキルチオ、シアノ、ハロ、アジド、Ｃ１〜Ｃ４アルキル、１〜３個のハロ基を持つＣ１〜Ｃ４ハロアルキル又は１〜３個のハロ基を持つＣ１〜Ｃ４ハロアルコキシ基で任意に置換されていてもよい、アリール又はヘテロアリール基であり；
各Ｒ３１が独立して水素基又はＲ３０であり；
各Ｒ３２が独立して水素又はＣ１〜Ｃ４アルキル基であり；
各Ｒ３３が独立して水素又はＣ１〜Ｃ４アルキル基であり；
各Ｒ３４が独立して水素又はＣ１〜Ｃ４アルキル基である、
請求項２に記載の化合物又は薬学上許容できるその塩。
【請求項４】  Ｒ１が（１）１〜３個の−ＯＨ、−ＯＲ３、−ＳＲ３、−Ｓ（Ｏ）Ｒ３、−Ｓ（Ｏ）２Ｒ３、―Ｃ（Ｏ）Ｒ３、−ＮＲ３Ｒ４、アリール、ヘテロアリール、シクロアルキル又はヘテロシクリル基で任意に置換されていてもよい、Ｃ１〜Ｃ１２アルキル基であるか、（２）任意に置換されていてもよい５〜６員環の単環式へテロアリール又はヘテロシクリル基（これはフェニル基又は５〜６員環の単環式へテロアリール基で任意に置換されていてもよい）で任意に置換されていてもよい、アリール基であるか、もしくは（３）任意に置換されていてもよいフェニルもしくは５〜６員環の単環式へテロアリール又はへテロサイクリル基（これはフェニル基又は５〜６員環の単環式へテロアリール基で任意に置換されていてもよい）で任意に置換されていてもよい、ヘテロアリール基であって、（１）、（２）及び（３）のフェニル、アリール、ヘテロアリール、シクロアルキル及びヘテロシクリル基は１〜３個のヒドロキシ、−ＯＲ３、−ＳＲ３、−Ｓ（Ｏ）Ｒ３、−Ｓ（Ｏ）２Ｒ３、−Ｃ（Ｏ）Ｒ３、−ＮＲ３Ｒ４、アミノ、アセチルアミノ、メチルスルホニルアミノ、Ｃ１〜Ｃ４アルコキシカルボニルアミノ、Ｃ１〜Ｃ４アルコキシカルボニル、シアノ、ハロ、Ｃ１〜Ｃ６アルキル又は−ＣＦ３基で任意に置換されていてもよく（ただし、Ｒ１中のフェニル、アリール、ヘテロアリール、シクロアルキル及びヘテロシクリル基の総数は０〜３とする）；
各Ｒ３が独立してＣ１〜Ｃ４アルキル、−ＣＦ３、アリール、ヘテロアリール、アリール−Ｃ１〜Ｃ４−アルキル又はヘテロアリール−Ｃ１〜Ｃ４−アルキル基であって、そのアリール及びヘテロアリール基は１〜３個のヒドロキシ、Ｃ１〜Ｃ４アルコキシ、Ｃ１〜Ｃ４アルキルチオール、アミノ、アセチルアミノ、メチルスルホニルアミノ、Ｃ１〜Ｃ４アルキルスルホニル、Ｃ１〜Ｃ４アルコキシカルボニルアミノ、Ｃ１〜Ｃ４アルコキシカルボニル、シアノ、ハロ、Ｃ１〜Ｃ４アルキル、−ＣＦ３又は−ＯＣＦ３基で任意に置換されていてもよく；また、各Ｒ４が独立して水素又はメチル基であり；
Ｒ２が水素又はメチル基であり；
Ｖが−ＣＲ８Ｒ１１−又は−ＣＲ８Ｒ１１−ＣＨＲ１２−であって、Ｒ１１とＲ１２はそれぞれ独立して（１）水素、−ＯＲ２０、−ＳＲ２１、−Ｃ（Ｏ）Ｒ２２、−ＮＲ３３−Ｃ（Ｏ）−Ｒ３１、−ＮＲ３３−Ｃ（Ｏ）−ＯＲ３０、−ＮＲ３３−Ｃ（Ｏ）−Ｒ３２Ｒ３１、−ＮＲ３３−Ｓ（Ｏ）２−Ｒ３０、−ＮＲ３３−Ｓ（Ｏ）２−ＮＲ３２Ｒ３１、シクロアルキル、アリール又はヘテロアリール基であるか、（２）１〜３個の−ＯＲ２０、−ＳＲ２１、−Ｃ（Ｏ）Ｒ２２、−ＮＲ３３−Ｃ（Ｏ）−Ｒ３１、−ＮＲ３３−Ｃ（Ｏ）−ＯＲ３０、−ＮＲ３３−Ｃ（Ｏ）−Ｒ３２Ｒ３１、−ＮＲ３３−Ｓ（Ｏ）２−Ｒ３０、−ＮＲ３３−Ｓ（Ｏ）２−ＮＲ３２Ｒ３１、アリール又はヘテロアリール基で任意に置換されていてもよい、Ｃ１〜Ｃ４アルキル、Ｃ２〜Ｃ４アルケニル又はＣ２〜Ｃ４アルキニル基であって、（１）と（２）のシクロアルキル、アリール及びヘテロアリール基は１〜３個のヒドロキシ、Ｃ１〜Ｃ４アルコキシ、Ｃ１〜Ｃ４アルキルチオール、アミノ、アセチルアミノ、メチルスルホニルアミノ、メチルスルフィニル、メチルスルホニル、Ｃ１〜Ｃ４アルコキシカルボニルアミノ、Ｃ１〜Ｃ４アルコキシカルボニル、シアノ、ハロ、アジド、Ｃ１〜Ｃ４アルキル、−ＣＦ３又は−ＯＣＦ３基で任意に置換されていてもよく；
各Ｒ２０が独立して水素、Ｃ１〜Ｃ４アルキル、Ｃ２〜Ｃ４アルケニル、アリール、ヘテロアリール、アリール−Ｃ１〜Ｃ４−アルキル、ヘテロアリール−Ｃ１〜Ｃ４−アルキル、Ｃ１〜Ｃ４アルカノイル、アロイル又はヘテロアロイル基であって、そのアルキル及びアルケニル基は−Ｃ（Ｏ）Ｒ２２で任意に置換されていてもよく、またそのアリール及びヘテロアリール基は１〜３個のヒドロキシ、Ｃ１〜Ｃ４アルコキシ、Ｃ１〜Ｃ４アルキルチオール、アミノ、アセチルアミノ、メチルスルホニルアミノ、メチルスルフィニル、メチルスルホニル、Ｃ１〜Ｃ４アルコキシカルボニルアミノ、Ｃ１〜Ｃ４アルコキシカルボニル、シアノ、ハロ、アジド、Ｃ１〜Ｃ４アルキル、−ＣＦ３又は−ＯＣＦ３基で任意に置換されていてもよく；
各Ｒ２１が独立してＣ１〜Ｃ４アルキル、Ｃ１〜Ｃ４アルキル−Ｃ（Ｏ）Ｒ２２、アリール、ヘテロアリール、アリール−Ｃ１〜Ｃ４−アルキル又はヘテロアリール−Ｃ１〜Ｃ４−アルキル基であって、そのアリール及びヘテロアリール基は１〜３個のヒドロキシ、Ｃ１〜Ｃ４アルコキシ、Ｃ１〜Ｃ４アルキルチオール、アミノ、アセチルアミノ、メチルスルホニルアミノ、メチルスルフィニル、メチルスルホニル、Ｃ１〜Ｃ４アルコキシカルボニルアミノ、Ｃ１〜Ｃ４アルコキシカルボニル、シアノ、ハロ、アジド、Ｃ１〜Ｃ４アルキル、−ＣＦ３又は−ＯＣＦ３基で任意に置換されていてもよく；
各Ｒ２２が独立してヒドロキシ、Ｃ１〜Ｃ４アルコキシ、アリールオキシ、アリール−Ｃ１〜Ｃ２−アルコキシ、ヘテロアリールオキシ、ヘテロアリール−Ｃ１〜Ｃ２−アルコキシ又は−ＮＲ２３Ｒ２４基であって、ここに各Ｒ２３は独立して水素、Ｃ１〜Ｃ４アルキル、アリール、アリール−Ｃ１〜Ｃ２−アルキル、ヘテロアリール又はヘテロアリール−Ｃ１〜Ｃ２−アルキル基であり、かつ各Ｒ２４が独立して水素又はＣ１〜Ｃ４アルキル基であるか、もしくは−ＮＲ２３Ｒ２４がヘテロシクリル又はヘテロアリール基を表し、Ｒ２２、Ｒ２３及び−ＮＲ２３Ｒ２４のヘテロシクリル、アリール及びヘテロアリール基は１〜３個のヒドロキシ、Ｃ１〜Ｃ４アルコキシ、Ｃ１〜Ｃ４アルキルチオール、アミノ、アセチルアミノ、メチルスルホニルアミノ、メチルスルフィニル、メチルスルホニル、Ｃ１〜Ｃ４アルコキシカルボニルアミノ、Ｃ１〜Ｃ４アルコキシカルボニル、シアノ、ハロ、アジド、Ｃ１〜Ｃ４アルキル、−ＣＦ３又は−ＯＣＦ３基で任意に置換されていてもよく；
各Ｂが独立して、
（１）結合であるか、
（２）（ａ）アミノ、Ｃ１〜Ｃ４アルキルアミノ、ジ（Ｃ１〜Ｃ４アルキル）アミノ、Ｃ１〜Ｃ５アルカノイルアミノ、（Ｃ１〜Ｃ４アルコキシ）カルボニルアミノ、Ｃ１〜Ｃ４アルキルスルホニルアミノ、ヒドロキシ、Ｃ１〜Ｃ４アルコキシ、Ｃ１〜Ｃ４アルキルチオ、シアノ基、及び／又は（ｂ）１〜３個のハロ基、及び／又は（ｃ）１〜３個のアミノ、Ｃ１〜Ｃ４アルキルアミノ、ジ（Ｃ１〜Ｃ４アルキル）アミノ、Ｃ１〜Ｃ５アルカノイルアミノ、（Ｃ１〜Ｃ４アルコキシ）カルボニルアミノ、Ｃ１〜Ｃ４アルキルスルホニルアミノ、ヒドロキシ、Ｃ１〜Ｃ４アルコキシ、Ｃ１〜Ｃ４アルキルチオ、シアノ、ハロ、Ｃ１〜Ｃ４アルキル、−ＣＦ３又は−ＯＣＦ３基で任意に置換されていてもよい、１〜２個のヘテロシクリル、アリール又はヘテロアリール基、で任意に置換されていてもよいＣ１〜Ｃ８アルキル基であるか、
（３）ヘテロシクリル基であるか、
（４）１〜３個のアミノ、Ｃ１〜Ｃ４アルキルアミノ、ジ（Ｃ１〜Ｃ４アルキル）アミノ、Ｃ１〜Ｃ５アルカノイルアミノ、（Ｃ１〜Ｃ４アルコキシ）カルボニルアミノ、Ｃ１〜Ｃ４アルキルスルホニルアミノ、ヒドロキシ、Ｃ１〜Ｃ４アルコキシ、Ｃ１〜Ｃ４アルキルチオ、シアノ、ハロ、Ｃ１〜Ｃ４アルキル、−ＣＦ３又は−ＯＣＦ３基で任意に置換されていてもよい、アリール又はヘテロアリール基であり；
各Ａが独立して、
（１）水素基であるか、
（２）ハロ、シアノ又はニトロ基であるか、
（３）−Ｃ（Ｏ）−Ｒ３０、−Ｃ（Ｏ）−ＯＲ３１、−Ｃ（Ｏ）−ＮＲ３２Ｒ３１又は−Ｃ（ＮＲ３２）−ＮＲ３２Ｒ３１基であるか、
（４）−ＯＲ３１、−Ｏ−Ｃ（Ｏ）−Ｒ３１又は−Ｏ−Ｃ（Ｏ）−ＮＲ３２Ｒ３１基であるか、
（５）−ＳＲ３１、−Ｓ（Ｏ）−Ｒ３０、−Ｓ（Ｏ）２−Ｒ３０又は−Ｓ（Ｏ）２−ＮＲ３２Ｒ３１基であるか、
（６）−ＮＲ３２Ｒ３１、−ＮＲ３３−Ｃ（Ｏ）−Ｒ３１、−ＮＲ３３−Ｃ（Ｏ）−ＯＲ３０、−ＮＲ３３−Ｃ（Ｏ）−ＮＲ３２Ｒ３１、−ＮＲ３３−Ｃ（ＮＲ３２）−ＮＲ３２Ｒ３１、−ＮＲ３３−Ｓ（Ｏ）２−Ｒ３０又は−ＮＲ３３−Ｓ（Ｏ）２−ＮＲ３２Ｒ３１基であり；
各Ｒ３０が独立して、
（１）１〜３個の−ＣＯ２Ｒ３４、アミノ、Ｃ１〜Ｃ４アルキルアミノ、ジ（Ｃ１〜Ｃ４アルキル）アミノ、Ｃ１〜Ｃ５アルカノイルアミノ、（Ｃ１〜Ｃ４アルコキシ）カルボニルアミノ、Ｎ−（（Ｃ１〜Ｃ４アルコキシ）カルボニル）−Ｎ−（Ｃ１〜Ｃ４アルキル）アミノ、アミノカルボニルアミノ、Ｃ１〜Ｃ４アルキルスルホニルアミノ、ヒドロキシ、Ｃ１〜Ｃ４アルコキシ、Ｃ１〜Ｃ４アルキルチオ、Ｃ１〜Ｃ４アルキルスルフィニル、Ｃ１〜Ｃ４アルキルスルホニル、シアノ、ハロ、アリール−Ｃ１〜Ｃ４−アルコキシ、アリール−Ｃ１〜Ｃ４−アルキルチオ、アリール−Ｃ１〜Ｃ４−アルキルスルホニル、Ｃ３〜Ｃ８シクロアルキル、ヘテロシクリル、アリール又はヘテロアリール基（ここで、そのシクロアルキル、ヘテロシクリル、アリール及びヘテロアリール基は１〜３個のアミノ、Ｃ１〜Ｃ４アルキルアミノ、ジ（Ｃ１〜Ｃ４アルキル）アミノ、Ｃ１〜Ｃ５アルカノイルアミノ、（Ｃ１〜Ｃ４アルコキシ）カルボニルアミノ、Ｃ１〜Ｃ４アルキルスルホニルアミノ、Ｃ１〜Ｃ５アルカノイル、（Ｃ１〜Ｃ４アルコキシ）カルボニル、ヒドロキシ、Ｃ１〜Ｃ４アルコキシ、Ｃ１〜Ｃ４アルキルチオ、Ｃ１〜Ｃ４アルキルスルフィニル、Ｃ１〜Ｃ４アルキルスルホニル、シアノ、ハロ、Ｃ１〜Ｃ４アルキル、−ＣＦ３又は−ＯＣＦ３基で任意に置換されていてもよい）で任意に置換されていてもよい、Ｃ１〜Ｃ６アルキル基であるか、
（２）１〜３個のアミノ、Ｃ１〜Ｃ４アルキルアミノ、ジ（Ｃ１〜Ｃ４アルキル）アミノ、Ｃ１〜Ｃ５アルカノイルアミノ、（Ｃ１〜Ｃ４アルコキシ）カルボニルアミノ、Ｃ１〜Ｃ４アルキルスルホニルアミノ、（Ｃ１〜Ｃ４アルコキシ）カルボニル、ヒドロキシ、Ｃ１〜Ｃ４アルコキシ、Ｃ１〜Ｃ４アルキルチオ、シアノ、Ｃ１〜Ｃ４アルキル、１〜３個のハロ基を持つＣ１〜Ｃ２ハロアルキル又は−ＯＣＦ３基で任意に置換されていてもよい、ヘテロシクリル基であるか、
（３）１〜３個のアミノ、Ｃ１〜Ｃ４アルキルアミノ、ジ（Ｃ１〜Ｃ４アルキル）アミノ、Ｃ１〜Ｃ５アルカノイルアミノ、（Ｃ１〜Ｃ４アルコキシ）カルボニルアミノ、Ｃ１〜Ｃ４アルキルスルホニルアミノ、（Ｃ１〜Ｃ４アルコキシ）カルボニル、ヒドロキシ、Ｃ１〜Ｃ４アルコキシ、Ｃ１〜Ｃ４アルキルチオ、シアノ、ハロ、Ｃ１〜Ｃ４アルキル、−ＣＦ３又は−ＯＣＦ３基で任意に置換されていてもよい、アリール又はヘテロアリール基であり；
各Ｒ３１が独立して水素基又はＲ３０であり；
各Ｒ３３が独立して水素又はメチル基である、
請求項３に記載の化合物又は薬学上許容できるその塩。
【請求項５】  Ｖが−ＣＲ８Ｒ１１−であって、Ｒ１１は（１）水素、−ＯＲ２０、−ＳＲ２１、−Ｃ（Ｏ）Ｒ２２、−ＮＲ３３−Ｃ（Ｏ）−Ｒ３１、−ＮＲ３３−Ｃ（Ｏ）−ＯＲ３０、−ＮＲ３３−Ｃ（Ｏ）−Ｒ３２Ｒ３１、−ＮＲ３３−Ｓ（Ｏ）２−Ｒ３０、−ＮＲ３３−Ｓ（Ｏ）２−ＮＲ３２Ｒ３１、シクロアルキル、アリール又はヘテロアリール基であるか、（２）１〜３個の−ＯＲ２０、−ＳＲ２１、−Ｃ（Ｏ）Ｒ２２、−ＮＲ３３−Ｃ（Ｏ）−Ｒ３１、−ＮＲ３３−Ｃ（Ｏ）−ＯＲ３０、−ＮＲ３３−Ｃ（Ｏ）−Ｒ３２Ｒ３１、−ＮＲ３３−Ｓ（Ｏ）２−Ｒ３０、−ＮＲ３３−Ｓ（Ｏ）２−ＮＲ３２Ｒ３１、アリール又はヘテロアリール基で任意に置換されていてもよい、Ｃ１〜Ｃ４アルキル、Ｃ２〜Ｃ４アルケニル基であって、（１）と（２）のシクロアルキル、アリール及びヘテロアリール基は１〜２個のヒドロキシ、Ｃ１〜Ｃ４アルコキシ、Ｃ１〜Ｃ４アルキルチオール、アミノ、アセチルアミノ、メチルスルホニルアミノ、メチルスルフィニル、メチルスルホニル、Ｃ１〜Ｃ４アルコキシカルボニルアミノ、Ｃ１〜Ｃ４アルコキシカルボニル、シアノ、ハロ、アジド、Ｃ１〜Ｃ４アルキル、−ＣＦ３又は−ＯＣＦ３基で任意に置換されていてもよい、
請求項４に記載の化合物又は薬学上許容できるその塩。
【請求項６】  Ｒ１が（１）１〜３個の−ＯＨ、−ＯＲ３、−ＳＲ３、−Ｓ（Ｏ）２Ｒ３、−ＮＲ３Ｒ４、アリール、ヘテロアリール、シクロアルキル又はヘテロシクリル基で任意に置換されていてもよい、Ｃ１〜Ｃ１２アルキル基であるか、（２）任意に置換されていてもよい５〜６員環の単環式へテロアリール又はヘテロシクリル基（これはフェニル基又は５〜６員環の単環式へテロアリール基で任意に置換されていてもよい）で任意に置換されていてもよい、アリール基であるか、もしくは（３）任意に置換されていてもよいフェニルもしくは５〜６員環の単環式へテロアリール又はへテロサイクリル基（これはフェニル基又は５〜６員環の単環式へテロアリール基で任意に置換されていてもよい）で任意に置換されていてもよい、ヘテロアリール基であって、（１）、（２）及び（３）のフェニル、アリール、ヘテロアリール、シクロアルキル及びヘテロシクリル基は１〜３個のヒドロキシ、−ＯＲ３、−ＳＲ３、−Ｓ（Ｏ）２Ｒ３、−ＮＲ３Ｒ４、アミノ、アセチルアミノ、メチルスルホニルアミノ、Ｃ１〜Ｃ４アルコキシカルボニルアミノ、Ｃ１〜Ｃ４アルコキシカルボニル、シアノ、ハロ、Ｃ１〜Ｃ６アルキル又は−ＣＦ３基で任意に置換されていてもよく（ただし、Ｒ１中のフェニル、アリール、ヘテロアリール、シクロアルキル及びヘテロシクリル基の総数は０〜２とする）；
各Ｒ３が独立してＣ１〜Ｃ４アルキル、−ＣＦ３、アリール、ヘテロアリール、アリール−Ｃ１〜Ｃ２−アルキル又はヘテロアリール−Ｃ１〜Ｃ２−アルキル基であって、そのアリール及びヘテロアリール基は１〜２個のヒドロキシ、Ｃ１〜Ｃ４アルコキシ、Ｃ１〜Ｃ４アルキルチオール、アミノ、アセチルアミノ、メチルスルホニルアミノ、Ｃ１〜Ｃ４アルキルスルホニル、Ｃ１〜Ｃ４アルコキシカルボニルアミノ、Ｃ１〜Ｃ４アルコキシカルボニル、シアノ、ハロ、Ｃ１〜Ｃ４アルキル、−ＣＦ３又は−ＯＣＦ３基で任意に置換されていてもよく；
Ｒ２が水素基であり；
Ｖが−ＣＲ８Ｒ１１−であって、Ｒ１１は（１）水素、−ＯＲ２０、−ＳＲ２１、−Ｃ（Ｏ）Ｒ２２、−ＮＲ３３−Ｃ（Ｏ）−Ｒ３１、−ＮＲ３３−Ｃ（Ｏ）−ＯＲ３０、−ＮＲ３３−Ｃ（Ｏ）−Ｒ３２Ｒ３１、−ＮＲ３３−Ｓ（Ｏ）２−Ｒ３０、−ＮＲ３３−Ｓ（Ｏ）２−ＮＲ３２Ｒ３１、シクロアルキル、アリール又はヘテロアリール基であるか、（２）１〜３個の−ＯＲ２０、−ＳＲ２１、−Ｃ（Ｏ）Ｒ２２、−ＮＲ３３−Ｃ（Ｏ）−Ｒ３１、−ＮＲ３３−Ｃ（Ｏ）−ＯＲ３０、−ＮＲ３３−Ｃ（Ｏ）−Ｒ３２Ｒ３１、−ＮＲ３３−Ｓ（Ｏ）２−Ｒ３０、−ＮＲ３３−Ｓ（Ｏ）２−ＮＲ３２Ｒ３１、アリール又はヘテロアリール基で任意に置換されていてもよい、Ｃ１〜Ｃ４アルキル又はＣ２〜Ｃ４アルケニル基であって、（１）と（２）のシクロアルキル、アリール及びヘテロアリール基は１〜２個のヒドロキシ、Ｃ１〜Ｃ４アルコキシ、Ｃ１〜Ｃ４アルキルチオール、メチルスルホニル、ハロ、アジド、Ｃ１〜Ｃ４アルキル、−ＣＦ３又は−ＯＣＦ３基で任意に置換されていてもよく；
各Ｒ２２が独立してヒドロキシ、Ｃ１〜Ｃ４アルコキシ、アリールオキシ、アリール−Ｃ１〜Ｃ２−アルコキシ、ヘテロアリールオキシ、ヘテロアリール−Ｃ１〜Ｃ２−アルコキシ又は−ＮＲ２３Ｒ２４基であって、ここに各Ｒ２３は独立して水素、Ｃ１〜Ｃ４アルキル、アリール、アリール−Ｃ１〜Ｃ２−アルキル、ヘテロアリール又はヘテロアリール−Ｃ１〜Ｃ２−アルキル基であり、かつ各Ｒ２４が独立して水素又はＣ１〜Ｃ４アルキル基であるか、もしくは−ＮＲ２３Ｒ２４がヘテロシクリル又はヘテロアリール基を表し、Ｒ２２、Ｒ２３及び−ＮＲ２３Ｒ２４のヘテロシクリル、アリール及びヘテロアリール基は１〜２個のヒドロキシ、Ｃ１〜Ｃ４アルコキシ、Ｃ１〜Ｃ４アルキルチオール、ハロ、アジド、Ｃ１〜Ｃ４アルキル、−ＣＦ３又は−ＯＣＦ３基で任意に置換されていてもよく；
各Ｂが独立して、
（１）結合であるか、
（２）（ａ）１個のアミノ、Ｃ１〜Ｃ２アルキルアミノ、ジ（Ｃ１〜Ｃ２アルキル）アミノ、Ｃ１〜Ｃ２アルカノイルアミノ、（Ｃ１〜Ｃ４アルコキシ）カルボニルアミノ、ヒドロキシ、Ｃ１〜Ｃ２アルコキシ基、及び／又は（ｂ）１〜２個のハロ基、及び／又は（ｃ）１〜２個のアミノ、Ｃ１〜Ｃ２アルキルアミノ、ジ（Ｃ１〜Ｃ２アルキル）アミノ、Ｃ１〜Ｃ２アルカノイルアミノ、（Ｃ１〜Ｃ４アルコキシ）カルボニルアミノ、Ｃ１〜Ｃ２アルキルスルホニルアミノ、ヒドロキシ、Ｃ１〜Ｃ２アルコキシ、Ｃ１〜Ｃ２アルキルチオ、ハロ、Ｃ１〜Ｃ４アルキル、−ＣＦ３又は−ＯＣＦ３基で任意に置換されていてもよい、１個のヘテロシクリル、アリール又はヘテロアリール基、で任意に置換されていてもよいＣ１〜Ｃ４アルキル基であるか、
（３）ヘテロシクリル基であるか、
（４）１〜２個のアミノ、Ｃ１〜Ｃ２アルキルアミノ、ジ（Ｃ１〜Ｃ２アルキル）アミノ、Ｃ１〜Ｃ２アルカノイルアミノ、（Ｃ１〜Ｃ４アルコキシ）カルボニルアミノ、Ｃ１〜Ｃ２アルキルスルホニルアミノ、ヒドロキシ、Ｃ１〜Ｃ２アルコキシ、Ｃ１〜Ｃ２アルキルチオ、ハロ、Ｃ１〜Ｃ４アルキル、−ＣＦ３又は−ＯＣＦ３基で任意に置換されていてもよい、アリール又はヘテロアリール基であり；
各Ａが独立して、
（１）水素基であるか、
（２）ハロ基であるか、
（３）−Ｃ（Ｏ）−Ｒ３０、−Ｃ（Ｏ）−ＯＲ３１、−Ｃ（Ｏ）−ＮＲ３２Ｒ３１又は−Ｃ（ＮＲ３２）−ＮＲ３２Ｒ３１基であるか、
（４）−ＯＲ３１基であるか、
（５）−ＳＲ３１、−Ｓ（Ｏ）２−Ｒ３０又は−Ｓ（Ｏ）２−ＮＲ３２Ｒ３１基であるか、
（６）−ＮＲ３２Ｒ３１、−ＮＲ３３−Ｃ（Ｏ）−Ｒ３１、−ＮＲ３３−Ｃ（Ｏ）−ＯＲ３０、−ＮＲ３３−Ｃ（Ｏ）−ＮＲ３２Ｒ３１、−ＮＲ３３−Ｓ（Ｏ）２−Ｒ３０又は−ＮＲ３３−Ｓ（Ｏ）２−ＮＲ３２Ｒ３１基であり；
各Ｒ３０が独立して、
（１）１〜２個の−ＣＯ２Ｒ３４、アミノ、Ｃ１〜Ｃ２アルキルアミノ、ジ（Ｃ１〜Ｃ２アルキル）アミノ、Ｃ１〜Ｃ２アルカノイルアミノ、（Ｃ１〜Ｃ４アルコキシ）カルボニルアミノ、Ｎ−（（Ｃ１〜Ｃ４アルコキシ）カルボニル）−Ｎ−（Ｃ１〜Ｃ４アルキル）アミノ、ヒドロキシ、Ｃ１〜Ｃ４アルコキシ、又はアリール−Ｃ１〜Ｃ２−アルコキシ、ヘテロシクリル、アリール又はヘテロアリール基（ここで、そのヘテロシクリル、アリール及びヘテロアリール基は１〜３個のアミノ、Ｃ１〜Ｃ２アルキルアミノ、ジ（Ｃ１〜Ｃ２アルキル）アミノ、Ｃ１〜Ｃ２アルカノイルアミノ、（Ｃ１〜Ｃ４アルコキシ）カルボニルアミノ、Ｃ１〜Ｃ５アルカノイル、（Ｃ１〜Ｃ４アルコキシ）カルボニル、ヒドロキシ、Ｃ１〜Ｃ４アルコキシ、ハロ、Ｃ１〜Ｃ４アルキル、−ＣＦ３又は−ＯＣＦ３基で任意に置換されていてもよい）で任意に置換されていてもよい、Ｃ１〜Ｃ４アルキル又は−ＣＦ３基であるか、
（２）１〜２個の（Ｃ１〜Ｃ４アルコキシ）カルボニル、ヒドロキシ又はＣ１〜Ｃ４アルキル基で任意に置換されていてもよい、ヘテロシクリル基であるか、
（３）１〜２個のアミノ、Ｃ１〜Ｃ２アルキルアミノ、ジ（Ｃ１〜Ｃ２アルキル）アミノ、Ｃ１〜Ｃ２アルカノイルアミノ、ヒドロキシ、Ｃ１〜Ｃ２アルコキシ、ハロ、Ｃ１〜Ｃ４アルキル、−ＣＦ３又は−ＯＣＦ３基で任意に置換されていてもよい、アリール又はヘテロアリール基であり；
各Ｒ３１が独立して水素基又はＲ３０であり；
シクロアルキルは、任意に部分不飽和又はベンゾ縮合型であってもよい３〜６員環の単環式の炭素環式アルキル基であり；ヘテロシクリルは、環１個につき５〜８員環の単環式の飽和ヘテロ環式環構造の基であって、１〜３員環が酸素、イオウ又は窒素ヘテロ原子であり、任意に部分不飽和又はベンゾ縮合型であってもよいと共に、１〜２個のオキソ又はチオオキソ基で任意に置換されていてもよい、
請求項５に記載の化合物又は薬学上許容できるその塩。
【請求項７】  Ｒ１が（１）１〜２個の−ＯＨ、−ＯＲ３、−ＮＲ３Ｒ４、アリール又はヘテロアリール基で任意に置換されていてもよい、Ｃ１〜Ｃ４アルキル基であるか、（２）５〜６員環の単環式へテロアリール基で任意に置換されていてもよいアリール基であるか、もしくは（３）フェニル基で任意に置換されていてもよいヘテロアリール基であって、（１）、（２）及び（３）のフェニル、アリール及びヘテロアリール基は１〜２個のヒドロキシ、−ＯＲ３、−ＳＲ３、−Ｓ（Ｏ）２Ｒ３、−ＮＲ３Ｒ４、アミノ、アセチルアミノ、メチルスルホニルアミノ、Ｃ１〜Ｃ４アルコキシカルボニルアミノ、Ｃ１〜Ｃ４アルコキシカルボニル、ハロ、Ｃ１〜Ｃ６アルキル又は−ＣＦ３基で任意に置換されていてもよく（ただし、Ｒ１中のフェニル、アリール及びヘテロアリール基の総数は０〜２とする）；
各Ｒ３が独立してＣ１〜Ｃ４アルキル、−ＣＦ３、アリール、ヘテロアリール、アリール−Ｃ１〜Ｃ２−アルキル又はヘテロアリール−Ｃ１〜Ｃ２−アルキル基であって、そのアリール及びヘテロアリール基は１〜２個のヒドロキシ、Ｃ１〜Ｃ２アルコキシ、Ｃ１〜Ｃ２アルキルチオール、アミノ、アセチルアミノ、メチルスルホニルアミノ、Ｃ１〜Ｃ２アルキルスルホニル、Ｃ１〜Ｃ４アルコキシカルボニルアミノ、Ｃ１〜Ｃ４アルコキシカルボニル、ハロ、Ｃ１〜Ｃ２アルキル、−ＣＦ３又は−ＯＣＦ３基で任意に置換されていてもよく；
Ｖが−ＣＲ８Ｒ１１−であって、Ｒ１１は（１）水素、−ＯＲ２０、−ＮＲ３３−Ｃ（Ｏ）−Ｒ３１、−ＮＲ３３−Ｓ（Ｏ）２−Ｒ３０、シクロアルキル、アリール又はヘテロアリール基であるか、（２）１〜２個の−ＯＲ２０、−ＳＲ２１、−Ｃ（Ｏ）Ｒ２２、−ＮＲ３３−Ｃ（Ｏ）−Ｒ３１、−ＮＲ３３−Ｓ（Ｏ）２−Ｒ３０、アリール又はヘテロアリール基で任意に置換されていてもよい、Ｃ１〜Ｃ４アルキル又はＣ２〜Ｃ４アルケニル基であって、（１）と（２）のシクロアルキル、アリール及びヘテロアリール基は１〜２個のヒドロキシ、Ｃ１〜Ｃ２アルコキシ、Ｃ１〜Ｃ２アルキルチオール、ハロ、アジド、Ｃ１〜Ｃ２アルキル、−ＣＦ３又は−ＯＣＦ３基で任意に置換されていてもよく；
各Ｒ２０が独立して水素、Ｃ１〜Ｃ４アルキル、Ｃ１〜Ｃ４アルキル−Ｃ（Ｏ）Ｒ２２、Ｃ２〜Ｃ４アルケニル、アリール、ヘテロアリール、アリール−Ｃ１〜Ｃ２−アルキル、ヘテロアリール−Ｃ１〜Ｃ２−アルキル又はＣ１〜Ｃ４アルカノイル基であって、そのアリール及びヘテロアリール基は１〜２個のヒドロキシ、Ｃ１〜Ｃ４アルコキシ、Ｃ１〜Ｃ４アルキルチオール、ハロ、アジド、Ｃ１〜Ｃ２アルキル、−ＣＦ３又は−ＯＣＦ３基で任意に置換されていてもよく；
各Ｒ２１が独立してＣ１〜Ｃ４アルキル、Ｃ１〜Ｃ４アルキル−Ｃ（Ｏ）Ｒ２２、アリール、ヘテロアリール、アリール−Ｃ１〜Ｃ２−アルキル又はヘテロアリール−Ｃ１〜Ｃ２−アルキル基であって、そのアリール及びヘテロアリール基は１〜２個のヒドロキシ、Ｃ１〜Ｃ４アルコキシ、Ｃ１〜Ｃ４アルキルチオール、ハロ、アジド、Ｃ１〜Ｃ２アルキル、−ＣＦ３又は−ＯＣＦ３基で任意に置換されていてもよく；
各Ｒ２２が独立してヒドロキシ又は−ＮＲ２３Ｒ２４基であって、ここに各Ｒ２３は独立して水素、Ｃ１〜Ｃ２アルキル、アリール、アリール−Ｃ１〜Ｃ２−アルキル、ヘテロアリール又はヘテロアリール−Ｃ１〜Ｃ２−アルキル基であり、かつ各Ｒ２４が独立して水素又はＣ１〜Ｃ２アルキル基であるか、もしくは−ＮＲ２３Ｒ２４がヘテロアリール基を表し、Ｒ２２、Ｒ２３及び−ＮＲ２３Ｒ２４のアリール及びヘテロアリール基は１〜２個のヒドロキシ、Ｃ１〜Ｃ２アルコキシ、Ｃ１〜Ｃ２アルキルチオール、ハロ、アジド、Ｃ１〜Ｃ２アルキル、−ＣＦ３又は−ＯＣＦ３基で任意に置換されていてもよく；
各Ｂが独立して、
（１）結合であるか、
（２）Ｃ１〜Ｃ４アルキル基であるか、
（３）１個のアミノ、Ｃ１〜Ｃ２アルキルアミノ、ジ（Ｃ１〜Ｃ２アルキル）アミノ、Ｃ１〜Ｃ２アルカノイルアミノ、（Ｃ１〜Ｃ４アルコキシ）カルボニルアミノ、Ｃ１〜Ｃ２アルキルスルホニルアミノ、ヒドロキシ、Ｃ１〜Ｃ２アルコキシ、Ｃ１〜Ｃ２アルキルチオ、ハロ、Ｃ１〜Ｃ４アルキル、−ＣＦ３又は−ＯＣＦ３基で任意に置換されていてもよい、アリール又はヘテロアリール基であり；
各Ａが独立して、
（１）水素基であるか、
（２）ハロ基であるか、
（３）−Ｃ（Ｏ）−Ｒ３０、−Ｃ（Ｏ）−ＮＲ３２Ｒ３１又は−Ｃ（ＮＲ３２）−ＮＲ３２Ｒ３１基であるか、
（４）−ＯＲ３１であるか、
（５）−ＳＲ３１、−Ｓ（Ｏ）２−Ｒ３０又は−Ｓ（Ｏ）２−ＮＲ３２Ｒ３１基であるか、
（６）−ＮＲ３２Ｒ３１、−ＮＲ３３−Ｃ（Ｏ）−Ｒ３１又は−ＮＲ３３−Ｓ（Ｏ）２−Ｒ３０基であり；
各Ｒ３０が独立して、
（１）１〜２個の（Ｃ１〜Ｃ４アルコキシ）カルボニル、ヒドロキシ又はＣ１〜Ｃ４アルキルで任意に置換されていてもよい、ヘテロシクリル基であるか、
（２）１〜２個のアミノ、Ｃ１〜Ｃ２アルキルアミノ、ジ（Ｃ１〜Ｃ２アルキル）アミノ、Ｃ１〜Ｃ２アルカノイルアミノ、ヒドロキシ、Ｃ１〜Ｃ２アルコキシ、ハロ、Ｃ１〜Ｃ４アルキル、−ＣＦ３又は−ＯＣＦ３基で任意に置換されていてもよい、ヘテロアリール基であり；
各Ｒ３１が独立して水素基であるか、
（１）１〜２個のヒドロキシ、Ｃ１〜Ｃ２アルコキシ又はアリール−Ｃ１〜Ｃ２−アルコキシ、アリール又はヘテロアリール基（ここで、そのアリール及びヘテロアリール基は１〜２個のアミノ、Ｃ１〜Ｃ２アルキルアミノ、ジ（Ｃ１〜Ｃ２アルキル）アミノ、Ｃ１〜Ｃ２アルカノイルアミノ、（Ｃ１〜Ｃ４アルコキシ）カルボニルアミノ、Ｃ１〜Ｃ５アルカノイル、（Ｃ１〜Ｃ４アルコキシ）カルボニル、ヒドロキシ、Ｃ１〜Ｃ４アルコキシ、ハロ、Ｃ１〜Ｃ４アルキル、−ＣＦ３又は−ＯＣＦ３基で任意に置換されていてもよい）で任意に置換されていてもよい、Ｃ１〜Ｃ４アルキル又は−ＣＦ３基であるか、
（２）１〜２個のアミノ、Ｃ１〜Ｃ２アルキルアミノ、ジ（Ｃ１〜Ｃ２アルキル）アミノ、Ｃ１〜Ｃ２アルカノイルアミノ、ヒドロキシ、Ｃ１〜Ｃ２アルコキシ、ハロ、Ｃ１〜Ｃ４アルキル、−ＣＦ３又は−ＯＣＦ３基で任意に置換されていてもよい、アリール又はヘテロアリール基である、
請求項６に記載の化合物又は薬学上許容できるその塩。
【請求項８】  Ｒ１が１〜２個のヒドロキシ、−ＯＲ３、−ＳＲ３、−Ｓ（Ｏ）２Ｒ３、−ＮＲ３Ｒ４、アミノ、アセチルアミノ、メチルスルホニルアミノ、Ｃ１〜Ｃ４アルコキシカルボニルアミノ、Ｃ１〜Ｃ４アルコキシカルボニル、ハロ、Ｃ１〜Ｃ６アルキル又は−ＣＦ３基で任意に置換されていてもよい、アリール又はヘテロアリール基であり（ただし、Ｒ１中のアリール及びヘテロアリール基の総数は１〜２とする）；
各Ｒ３が独立してＣ１〜Ｃ４アルキル、−ＣＦ３、アリール、ヘテロアリール、アリールメチル又はヘテロアリールメチル基であり；
Ｖが−ＣＲ８Ｒ１１−であって、Ｒ１１は（１）水素、−ＯＲ２０、−ＮＲ３３−Ｃ（Ｏ）−Ｒ３１、−ＮＲ３３−Ｓ（Ｏ）２−Ｒ３０、シクロアルキル、アリール又はヘテロアリール基であるか、（２）１〜２個の−ＯＲ２０、−ＮＲ３３−Ｃ（Ｏ）−Ｒ３１、−ＮＲ３３−Ｓ（Ｏ）２−Ｒ３０、アリール又はヘテロアリール基で任意に置換されていてもよい、Ｃ１〜Ｃ４アルキル又はＣ２〜Ｃ４アルケニル基であって、（１）と（２）のシクロアルキル、アリール及びヘテロアリール基は１〜２個のヒドロキシ、Ｃ１〜Ｃ２アルコキシ、Ｃ１〜Ｃ２アルキルチオール、ハロ、アジド、Ｃ１〜Ｃ２アルキル、−ＣＦ３又は−ＯＣＦ３基で任意に置換されていてもよく；
各Ｒ２０が独立して水素、Ｃ１〜Ｃ４アルキル、Ｃ２〜Ｃ４アルケニル、アリール、ヘテロアリール、アリール−Ｃ１〜Ｃ２−アルキル、ヘテロアリール−Ｃ１〜Ｃ２−アルキル又はＣ１〜Ｃ４アルカノイル基であり；
各Ｂが独立して、
（１）結合であるか、
（２）Ｃ１〜Ｃ４アルキル基であるか、
（３）アリール又はヘテロアリール基であり；
各Ａが独立して、
（１）水素基であるか、
（２）ハロ基であるか、
（３）−Ｃ（Ｏ）−Ｒ３０又は−Ｃ（Ｏ）−ＮＲ３２Ｒ３１基であり；
各Ｒ３０が独立して、Ｃ１〜Ｃ４アルキルで任意に置換されていてもよいヘテロシクリル基であり；
各Ｒ３１が独立して水素基であるか、
（１）１〜２個のアリール又はヘテロアリール基で任意に置換されていてもよい、Ｃ１〜Ｃ４アルキル又は−ＣＦ３基であるか、
（２）アリール又はヘテロアリール基であり、
各Ｒ３２が独立して水素又はメチル基である、
請求項７に記載の化合物又は薬学上許容できるその塩。
【請求項９】  Ｒ１が１〜２個のヒドロキシ、−ＯＲ３、−Ｓ（Ｏ）２Ｒ３、−ＮＲ３Ｒ４、アミノ、アセチルアミノ、メチルスルホニルアミノ、ハロ、Ｃ１〜Ｃ４アルキル又は−ＣＦ３基で任意に置換されていてもよい、アリール基（ただし、Ｒ１中のアリール及びヘテロアリール基の総数は１〜２とする）であり；
Ｖが−ＣＲ８Ｒ１１−であって、Ｒ１１は（１）水素、−ＯＲ２０、アリール又はヘテロアリール基であるか、（２）１〜２個の−ＯＲ２０、アリール又はヘテロアリール基で任意に置換されていてもよい、Ｃ１〜Ｃ４アルキル又はＣ２〜Ｃ４アルケニル基であって、（１）と（２）のアリール及びヘテロアリール基は１〜２個のヒドロキシ、Ｃ１〜Ｃ２アルコキシ、ハロ、Ｃ１〜Ｃ２アルキル、−ＣＦ３又は−ＯＣＦ３基で任意に置換されていてもよく（ただし、Ｒ１１中のアリール及びヘテロアリール基の総数は０〜２とする）；
Ｒ５、Ｒ６、Ｒ７、Ｒ８、Ｒ９及びＲ１０がそれぞれ水素基であるか、ＣＲ５−ＣＲ６、ＣＲ６−ＣＲ７又はＣＲ７−ＣＲ８の１つがＣ＝Ｃであり；
ヘテロシクリルがピロリジニル、ピペリジニル、ピペラジニル、モルホリニル、チアモルホリニル、４−ベンジルピペラジン−１−イル、ピリミジニル、テトラヒドロフリル、ピラゾリドニル、ピラゾリニル、ピリダジノニル、ピロリドニル、テトラヒドロチエニルもしくはそのスルホキシド又はスルホン誘導体、２，３−ジヒドロインドリル、テトラヒドロキノリニル、１，２，３，４−テトラヒドロイソキノリニル、１，２，３，４−テトラヒドロ−１−オキソ−イソキノリニル、２，３−ジヒドロベンゾフリル、ベンゾピラニル、メチレンジオキシフェニル又はエチレンジオキシフェニル基であり；アリールがフェニル、ビフェニル又はナフチル基であり；ヘテロアリールがイミダゾリル、ピロリル、ピラゾリル、ピリジル、ピラジニル、トリアゾリル、フリル、チエニル、オキサゾリル、チアゾリル、インドリル、キノリニル、イソキノリニル、５，６，７，８−テトラヒドロキノリル、５，６，７，８−テトラヒドロイソキノリニル、キノキサリニル、ベンゾチアゾリル、β−カルボリニル、ベンゾフリル、ベンゾイミダゾリル又はベンゾオキサゾリルである、
請求項８に記載の化合物又は薬学上許容できるその塩。
【請求項１０】  Ｒ１が１〜２個のヒドロキシ、−ＯＲ３、−Ｓ（Ｏ）２Ｒ３、−ＮＲ３Ｒ４、アミノ、アセチルアミノ、メチルスルホニルアミノ、ハロ、Ｃ１〜Ｃ４アルキル又は−ＣＦ３基で任意に置換されていてもよい、フェニル基（ただし、Ｒ１中のアリール及びヘテロアリール基の総数は１〜２とする）であり；
各Ｒ３が独立してＣ１〜Ｃ４アルキル、−ＣＦ３、フェニル、ヘテロアリール、フェニルメチル又はヘテロアリールメチル基であり；
Ｖが−ＣＲ８Ｒ１１−であって、Ｒ１１は（１）水素、−ＯＲ２０、フェニル又はヘテロアリール基であるか、（２）１〜２個の−ＯＲ２０、フェニル又はヘテロアリール基で任意に置換されていてもよい、Ｃ１〜Ｃ４アルキル又はＣ２〜Ｃ４アルケニル基であって、（１）と（２）のフェニル及びヘテロアリール基は１〜２個のヒドロキシ、Ｃ１〜Ｃ２アルコキシ、ハロ、Ｃ１〜Ｃ２アルキル、−ＣＦ３又は−ＯＣＦ３基で任意に置換されていてもよく（ただし、Ｒ１１中のアリール及びヘテロアリール基の総数は０〜２とする）；
各Ｒ２０が独立して水素、Ｃ１〜Ｃ４アルキル、Ｃ２〜Ｃ４アルケニル、フェニル、ヘテロアリール、フェニル−Ｃ１〜Ｃ２−アルキル、ヘテロアリール−Ｃ１〜Ｃ２−アルキル基であり；
ヘテロシクリルがピロリジニル、ピペリジニル、ピペラジニル、モルホリニル、チアモルホリニル、４−ベンジルピペラジン−１−イル又はピリミジニル基であり；ヘテロアリールがイミダゾリル、ピロリル、ピラゾリル、ピリジル、ピラジニル、インドリル、キノリニル、イソキノリニル、ベンゾチアゾリル、ベンゾフリル、ベンゾイミダゾリル又はベンゾオキサゾリルである、
請求項９に記載の化合物又は薬学上許容できるその塩。
【請求項１１】  Ｒ１が１〜２個のヒドロキシ、−ＯＲ３、ハロ、メチル又は−ＣＦ３基で任意に置換されていてもよい、フェニル基（ただし、Ｒ１中のアリール及びヘテロアリール基の総数は１〜２とする）であり；
各Ｒ３が独立してメチル、−ＣＦ３、フェニル、ヘテロアリール、フェニルメチル又はヘテロアリールメチル基であり；
Ｖが−ＣＲ８Ｒ１１−であって、Ｒ１１は（１）水素、−ＯＲ２０、フェニル又はヘテロアリール基であるか、（２）１〜２個の−ＯＲ２０、フェニル又はヘテロアリール基で任意に置換されていてもよい、Ｃ１〜Ｃ４アルキル又はＣ２〜Ｃ４アルケニル基であって、（１）と（２）のフェニル及びヘテロアリール基は１〜２個のヒドロキシ、メトキシ、ハロ、メチル、−ＣＦ３又は−ＯＣＦ３基で任意に置換されていてもよく（ただし、Ｒ１１中のアリール及びヘテロアリール基の総数は０〜２とする）；
各Ｒ２０が独立して水素、メチル、プロペニル、フェニル、ヘテロアリール、フェニル−Ｃ１〜Ｃ２−アルキル又はヘテロアリール−Ｃ１〜Ｃ２−アルキル基である、
請求項１０に記載の化合物又は薬学上許容できるその塩。
【請求項１２】  シス−３−ベンジル−１−（４−メトキシフェニルスルホニル）−アゼパン−２−ヒドロキサム酸、
トランス−３−ベンジル−１−（４−メトキシフェニルスルホニル）−アゼパン−２−ヒドロキサム酸、
トランス−３−フェニル−１−（４−メトキシフェニルスルホニル）−アゼパン−２−ヒドロキサム酸、
１−（４−メトキシフェニルスルホニル）−アゼパン−２−ヒドロキサム酸、
酢酸（２−ヒドロキシカルバモイル−１−（４−メトキシフェニルスルホニル）−アゼパン−３−イル）メチルエステル、
３−ヒドロキシメチル−１−（４−メトキシフェニルスルホニル）−アゼパン−２−ヒドロキサム酸、
３−ベンジルオキシメチル−１−（４−メトキシフェニルスルホニル）−アゼパン−２−ヒドロキサム酸、
１−（４−メトキシフェニルスルホニル）−３−フェニルスルファニルメチル−アゼパン−２−ヒドロキサム酸、
１−（４−メトキシフェニルスルホニル）−３−スチリル−アゼパン−２−ヒドロキサム酸、
３−（２−ヒドロキシカルバモイル−１−（４−メトキシフェニルスルホニル）−アゼパン−３−イル）アクリル酸、
酢酸（２−ヒドロキシカルバモイル−１−（４−メトキシフェニルスルホニル）−２，３，４，７−テトラヒドロ−１Ｈ−アゼピン−３−イル）メチルエステル、
３−ヒドロキシメチル−１−（４−メトキシフェニルスルホニル）−２，３，４，７−テトラヒドロ−１Ｈ−アゼピン−２−ヒドロキサム酸、
３−ベンジルオキシメチル−１−（４−メトキシフェニルスルホニル）−２，３，４，７−テトラヒドロ−１Ｈ−アゼピン−２−ヒドロキサム酸、
１−（４−メトキシフェニルスルホニル）−３−フェニルスルファニルメチル−２，３，４，７−テトラヒドロ−１Ｈ−アゼピン−２−ヒドロキサム酸、
３−ベンゾフラン−２−イル−１−（４−メトキシフェニルスルホニル）−２，３，４，７−テトラヒドロ−１Ｈ−アゼピン−２−ヒドロキサム酸、
１−（４−メトキシフェニルスルホニル）−アゼパン−２，３−ジカルボン酸２−（ヒドロキサミド）３−（フェンメチルアミド）、
１−（４−メトキシフェニルスルホニル）−アゼパン−２，３−ジカルボン酸２−（ヒドロキサミド）３−（フェネチルアミド）、
１−（４−メトキシフェニルスルホニル）−アゼパン−２，３−ジカルボン酸２−（ヒドロキサミド）３−（フェンプロピルアミド）、
１−（４−メトキシフェニルスルホニル）−アゼパン−２，３−ジカルボン酸２−（ヒドロキサミド）３−（４−フェノキシ−２−エチルアミド）、
１−（４−メトキシフェニルスルホニル）−アゼパン−２，３−ジカルボン酸２−（ヒドロキサミド）３−（フェニルメチルスルファニルエチルアミド）、
１−（４−メトキシフェニルスルホニル）−アゼパン−２，３−ジカルボン酸２−（ヒドロキサミド）３−（４−フェノキシフェネチルアミド）、
シス−３−（４−フェニルベンジル）−１−（４−メトキシフェニルスルホニル）−アゼパン−２−ヒドロキサム酸、
トランス−３−（４−フェニルベンジル）−１−（４−メトキシフェニルスルホニル）−アゼパン−２−ヒドロキサム酸、
トランス−３−メチル−１−（４−メトキシフェニルスルホニル）−アゼパン−２−ヒドロキサム酸、又は
（２−ヒドロキシカルバモイル−１−（４−メトキシフェニルスルホニル）−２，３，４，７−テトラヒドロ−１Ｈ−アゼピン−３−イル）−カルバミン酸ベンジルエステル、
である請求項１に記載の化合物又は薬学上許容できるその塩。
【請求項１３】  請求項１に記載の化合物と薬学上許容できる担体とを含む医薬組成物。
【請求項１４】  請求項１に記載の化合物を含む炎症の予防又は治療用医薬組成物。
【請求項１５】  請求項１３に記載の組成物を含む炎症の予防又は治療用医薬組成物。
【請求項１６】  請求項１に記載の化合物を含む結合組織崩壊の予防又は治療用医薬組成物。
【請求項１７】  請求項１３に記載の組成物を含む結合組織崩壊の予防又は治療用医薬組成物。
【請求項１８】  請求項１に記載の化合物含む、慢性関節リウマチ、変形性関節症、リウマチ様脊椎炎、痛風性関節炎、炎症性腸疾患、成人型呼吸窮迫症候群（ＡＲＤＳ）、乾癬、クローン病、アレルギー性鼻炎、潰瘍性大腸炎、アナフィラキシー、接触皮膚炎、喘息、ＨＩＶ感染症、サイトメガロウイルス（ＣＭＶ）感染症、インフルエンザ、アデノウイルス感染症、ヘルペスウイルス感染症、帯状ヘルペス、筋変性、悪液質、ライター症候群、ＩＩ型糖尿病、骨吸収疾患、移植片対宿主反応、虚血再灌流障害、アテローム硬化症、脳外傷、アルツハイマー病、多発性硬化症、大脳マラリア、敗血症、敗血症性ショック、毒素ショック症候群、もしくは感染による発熱又は筋肉痛の治療用医薬組成物。
【請求項１９】  請求項１３に記載の組成物を含む、慢性関節リウマチ、変形性関節症、リウマチ様脊椎炎、痛風性関節炎、炎症性腸疾患、成人型呼吸窮迫症候群（ＡＲＤＳ）、乾癬、クローン病、アレルギー性鼻炎、潰瘍性大腸炎、アナフィラキシー、接触皮膚炎、喘息、ＨＩＶ感染症、サイトメガロウイルス（ＣＭＶ）感染症、インフルエンザ、アデノウイルス感染症、ヘルペスウイルス感染症、帯状ヘルペス、筋変性、悪液質、ライター症候群、ＩＩ型糖尿病、骨吸収疾患、移植片対宿主反応、虚血再灌流障害、アテローム硬化症、脳外傷、アルツハイマー病、多発性硬化症、大脳マラリア、敗血症、敗血症性ショック、毒素ショック症候群、もしくは感染による発熱又は筋肉痛の治療用医薬組成物。
【請求項２０】  請求項１に記載の化合物を含む、ＴＮＦ−αの血漿濃度を低下させるための医薬組成物。
【請求項２１】  請求項１３に記載の組成物を含む、ＴＮＦ−αの血漿濃度を低下させるための医薬組成物。
【請求項２２】  請求項１に記載の化合物を含む、神経炎症性障害又は血管形成依存性疾患の治療用医薬組成物。
【請求項２３】  請求項１３に記載の組成物を含む、神経炎症性障害又は血管形成依存性疾患の治療用医薬組成物。
【請求項２４】  請求項１に記載の化合物を含む、慢性関節リウマチ、変形性関節症、オステオペニア、歯周炎、歯肉炎、角膜潰瘍形成、表皮潰瘍形成、胃潰瘍形成、腫瘍転移、腫瘍浸潤、腫瘍成長、ミエリン分解、癌、乾癬、増殖性網膜症、血管新生緑内障、眼の腫瘍、線維性血管腫、血管腫、腎炎、肺炎又は再狭窄の治療用医薬組成物。
【請求項２５】  請求項１３に記載の組成物を含む、慢性関節リウマチ、変形性関節症、オステオペニア、歯周炎、歯肉炎、角膜潰瘍形成、表皮潰瘍形成、胃潰瘍形成、腫瘍転移、腫瘍浸潤、腫瘍成長、ミエリン分解、癌、乾癬、増殖性網膜症、血管新生緑内障、眼の腫瘍、線維性血管腫、血管腫、腎炎、肺炎又は再狭窄の治療用医薬組成物。
【請求項２６】  炎症の予防又は治療用の組成物を製造するための請求項１〜１２に記載の化合物の使用。
【請求項２７】  結合組織崩壊の予防又は治療用の組成物を製造するための請求項１〜１２に記載の化合物の使用。
【請求項２８】  慢性関節リウマチ、変形性関節症、リウマチ様脊椎炎、痛風性関節炎、炎症性腸疾患、成人型呼吸窮迫症候群（ＡＲＤＳ）、乾癬、クローン病、アレルギー性鼻炎、潰瘍性大腸炎、アナフィラキシー、接触皮膚炎、喘息、ＨＩＶ感染症、サイトメガロウイルス（ＣＭＶ）感染症、インフルエンザ、アデノウイルス感染症、ヘルペスウイルス感染症、帯状ヘルペス、筋変性、悪液質、ライター症候群、ＩＩ型糖尿病、骨吸収疾患、移植片対宿主反応、虚血再灌流障害、アテローム硬化症、脳外傷、アルツハイマー病、多発性硬化症、大脳マラリア、敗血症、敗血症性ショック、毒素ショック症候群、もしくは感染による発熱又は筋肉痛の治療用の組成物を製造するための請求項１〜１２に記載の化合物の使用。
【請求項２９】  ＴＮＦ−αの血漿濃度を低下させるための組成物を製造するための請求項１〜１２に記載の化合物の使用。
【請求項３０】  神経炎症性障害又は血管形成依存性疾患の治療用の組成物を製造するための請求項１〜１２に記載の化合物の使用。
【請求項３１】  慢性関節リウマチ、変形性関節症、オステオペニア、歯周炎、歯肉炎、角膜潰瘍形成、表皮潰瘍形成、胃潰瘍形成、腫瘍転移、腫瘍浸潤、腫瘍成長、ミエリン分解、癌、乾癬、増殖性網膜症、血管新生緑内障、眼の腫瘍、線維性血管腫、血管腫、腎炎、肺炎又は再狭窄の治療用の組成物を製造するための請求項１〜１２に記載の化合物の使用。